(57)【要約】【課題】  【解決手段】  画像記録材料の媒体記憶容量を増加するためのシステム、装置、または方法を提供する。システム、装置、または方法は、さらに、媒体記憶容量を増加するため、および画像記録材料の乳剤面の面積を増加するために提供される。【選択図】      図３
2009503569.tif 000002
【特許請求の範囲】
【請求項１】
媒体記憶容量を増加するためのシステムであって、
第１の面と、反対面と、前端部と、後端部とを有する画像記録材料をカメラに格納および提供するための容器と、
少なくとも１つのカメラのフィルムゲートに前記画像記録材料の前記第１の面を供給して露光し、且つ少なくとも１つのカメラのフィルムゲートに前記画像記録材料の前記反対面を供給して露光するための材料再配置機構と
を有するシステム。
【請求項２】
請求項１記載のシステムにおいて、前記画像記録材料は乳剤が塗付された画像記録材料である。
【請求項３】
請求項２記載のシステムにおいて、前記画像記録材料は写真フィルムストックである。
【請求項４】
請求項１のシステムにおいて、前記材料再配置機構は、前記画像記録材料を長手方向に約１８０度回転させ、当該画像記録材料の前記反対面を前記ゲートを通過するように供給して露光するものである。
【請求項５】
請求項４記載のシステムにおいて、このシステムは、さらに、
前記後端部に接合された前記前端部を有し、この接合により、前記画像記録材料がカメラのフィルムゲートに連続的に供給され、前記第１の面を露光するためのループが提供されるものである。
【請求項６】
請求項４記載のシステムにおいて、前記材料再配置機構は、さらに、
前記画像記録材料に接触し、当該画像記録材料の前記連続ループの接合端部の間に配置される回転可能な接合装置を有するものである。
【請求項７】
請求項６記載のシステムにおいて、前記回転可能な接合機構は、さらに、玉継手を有するものである。
【請求項８】
請求項６記載のシステムにおいて、前記回転可能な接合機構は、さらに、ローラー機構を有するものである。
【請求項９】
請求項６記載のシステムにおいて、前記回転可能な接合機構は、さらに、弾性部材を有するものである。
【請求項１０】
請求項１記載のシステムにおいて、前記画像記録材料は、さらに、少なくとも前記第１の面および前記反対面に写真乳剤を有するものである。
【請求項１１】
請求項１記載のシステムにおいて、前記容器は映画フィルムカメラ用マガジンである。
【請求項１２】
請求項１記載のシステムにおいて、前記フィルムゲートは前記画像記録材料を選択的に再配置して、前記画像記録材料の反対面上の乳剤を露光するものである。
【請求項１３】
請求項１記載のシステムにおいて、前記容器は、さらに、
前記カメラのフィルム送り機能を中断することなく前記画像記録材料を前記カメラのフィルムゲートに提供するためのフィルム管理コンポーネントを有するものである。
【請求項１４】
請求項１のシステムにおいて、前記容器は、カメラ操作者に供給する前の画像記録材料が装填された再使用可能なフィルムマガジンである。
【請求項１５】
請求項１４記載のシステムにおいて、前記画像記録材料は、製造業者によって前記再使用可能なフィルムマガジンに装填されるものである。
【請求項１６】
請求項１４記載のシステムにおいて、前記容器は、前記画像記録材料の処理前に製造業者によって取り出されるものである。
【請求項１７】
請求項１記載のシステムにおいて、前記材料再配置機構は前記容器内にあるものである。
【請求項１８】
請求項１７記載のシステムにおいて、前記材料再配置機構は、前記画像記録材料の反対面が前記カメラに提供され、且つ露光されるよう前記容器を位置決めするものである。
【請求項１９】
請求項１記載のシステムにおいて、前記材料再配置機構は前記カメラ内にあるものである。
【請求項２０】
請求項１記載のシステムにおいて、前記材料再配置機構は前記カメラおよび前記容器内にあるものである。
【請求項２１】
請求項１９記載のシステムにおいて、このシステムは、さらに、
前記画像記録材料を回転させて当該画像記録材料の反対面が露光されるようにする可動ゲート機構を有するものである。
【請求項２２】
請求項１９記載のシステムにおいて、前記ストック再配置機構は、さらに、
乳剤面を選択的に互い違いに露光するための光転換装置を有するものである。
【請求項２３】
請求項２２記載のシステムにおいて、前記乳剤面の露光は、前記画像記録材料の両面で起きるものである。
【請求項２４】
請求項２２記載のシステムにおいて、前記乳剤面の露光は、前記画像記録材料の両面および隣接面で交互に起きるものである。
【請求項２５】
請求項２１記載のシステムにおいて、前記ゲートは互いに対向するものである。
【請求項２６】
請求項２２記載のシステムにおいて、前記ストック再配置機構は、前記レンズに対してオフセットされているものである。
【請求項２７】
請求項２２記載のシステムにおいて、前記ゲートは互いにオフセットされているものである。
【請求項２８】
請求項２２記載のシステムにおいて、フィルムの断続的な移動速度は減少するものである。
【請求項２９】
請求項２８記載のシステムにおいて、カメラのフレームレートは減少するものである。
【請求項３０】
請求項２２記載のシステムにおいて、フィルムストック面はレンズ面に垂直である。
【請求項３１】
請求項２２記載のシステムにおいて、画像記録材料の露光位置は、断続的に移動する前において垂直である。
【請求項３２】
請求項２２記載のシステムにおいて、このシステムは、さらに、
レンズ画像に関係する大半の光を前記画像記録材料の各々の面に提供する光転換装置を有するものである。
【請求項３３】
請求項２２記載のシステムにおいて、このシステムは、さらに、
各面に部分的画像を提供するビーム分割装置を有するものである。
【請求項３４】
請求項１７記載のシステムにおいて、前記容器内の材料再配置機構は、前記画像記録材料が前記カメラに再び戻される前に、当該画像記録材料を選択的に１８０度回転させ、当該画像記録材料の反対面を露光のために前記カメラに提供するものである。
【請求項３５】
請求項３４記載のシステムにおいて、前記画像記録材料の乳剤面は少なくとも倍増されるものである。
【請求項３６】
請求項３４記載のシステムにおいて、前記材料再配置機構は、前記画像記録材料を長手方向に１８０度回転させるものである。
【請求項３７】
請求項１７記載のシステムにおいて、前記材料再配置機構は、前記容器内の前記画像記録材料を再配置し、前記画像記録材料の反対面を露光のために前記カメラに提供するものである。
【請求項３８】
請求項３７記載のシステムにおいて、前記材料再配置機構は、前記画像記録材料の後端部を前記カメラに提供するものである。
【請求項３９】
請求項３４記載のシステムにおいて、前記材料再配置機構は、前記画像記録材料の送り方向を逆にするものである。
【請求項４０】
媒体記憶容量を増加するための装置であって、
第１の面と、反対面と、前端部と、後端部とを有する画像記録材料をカメラに格納および提供するための容器と、
カメラのフィルムゲートに前記画像記録材料の前記第１の面を供給して露光し、且つ前記カメラのフィルムゲートに前記画像記録材料の前記反対面を供給して露光するための材料再配置機構と
を有する装置。
【請求項４１】
請求項４０記載の装置において、前記画像記録材料は乳剤が塗付された画像記録材料である。
【請求項４２】
請求項４１記載の装置において、前記画像記録材料は写真フィルムストックである。
【請求項４３】
請求項４０記載の装置において、前記材料再配置機構は、前記画像記録材料を長手方向に約１８０度回転させ、当該画像記録材料の前記反対面を前記ゲートを通過するように供給して露光するものである。
【請求項４４】
請求項４３記載の装置でにおいて、この装置は、さらに、
前記後端部に接合された前記前端部を有し、この接合により、前記画像記録材料がカメラのフィルムゲートに連続的に供給され、前記第１の面を露光するためのループが提供されるものである。
【請求項４５】
請求項４３記載の装置において、前記材料再配置機構は、さらに、
前記ストックに接触し、当該画像記録材料の連続ループの接合端部の間に配置される回転可能な接合装置を有するものである。
【請求項４６】
媒体記憶容量を増加するための方法であって、
第１の面と、反対面と、前端部と、後端部とを有する画像記録材料を格納するための容器を提供する工程と、
前記画像記録材料をカメラに供給して前記第１の面を露光する工程と、
前記第１の面の露光後に前記画像記録材料を前記カメラに供給して前記反対面を露光する工程と
を有する方法。
【請求項４７】
請求項４６記載の方法において、この方法は、さらに、
前記画像記録材料を材料再配置機構と接触させることにより、当該画像記録材料を前記カメラに供給し、前記第１の面および前記反対面を露光する工程を有するものである。
【請求項４８】
請求項４６記載の方法において、前記画像記録材料は、前記カメラ内のカメラのフィルムゲートに供給されるものである。
【請求項４９】
請求項４６記載の方法において、前記画像記録材料は乳剤が塗付された画像記録材料である。
【請求項５０】
請求項４９記載の方法において、前記画像記録材料は写真フィルムストックである。
【請求項５１】
請求項５０記載の方法において、前記カメラは、前記巻き取りスプールから前記ストックを前記フィルムゲートに提供し、前記反対面を露光するよう動作可能であり、このカメラは、さらに、前記反対面の露光後、前記ストックが前記供給スプールに再び巻付けられるよう提供するものであり、この際、前記ストックの反対面の全長が露光された後、前記ストックの全てが選択的に前記供給スプール上にあるようになっているものである。
【請求項５２】
請求項４８の方法において、この方法は、さらに、
前記材料再配置機構によって前記画像記録材料を長手方向に約１８０度回転させ、当該画像記録材料の前記反対面を前記ゲートを通過するように供給して露光する工程を有するものである。
【請求項５３】
請求項５２記載の方法において、この方法は、さらに、
前記画像記録材料の前端部を後端部と接合する工程を有し、この接合する工程により、前記画像記録材料が前記カメラのフィルムゲートに連続的に供給され、前記第１の面の露光するためのループが提供されるものである。
【請求項５４】
請求項５２記載の方法において、前記材料再配置機構は、さらに、
前記画像記録材料と接触し、前記ストックの連続ループの接合端部の間に配置される回転可能な接合装置を有するものである。
【請求項５５】
請求項５４記載の方法において、前記回転可能な接合機構は、さらに、玉継手を有するものである。
【請求項５６】
請求項５４記載の方法において、前記回転可能な接合機構は、さらに、ローラー機構を有するものである。
【請求項５７】
請求項５４記載の方法において、前記回転可能な接合機構は、さらに、弾性部材を有するものである。
【請求項５８】
請求項４９記載の方法において、前記画像記録材料は、さらに、少なくとも前記第１の面および前記反対面に写真乳剤を有するものである。
【請求項５９】
請求項５０記載の方法において、前記容器は映画フィルムカメラ用マガジンである。
【請求項６０】
請求項５９記載の方法において、前記フィルムカメラ用マガジンは、さらに、
前記フィルムストックを収容および回転させるためのスプールを有し、前記スプールは、最初に未露光のストックが提供される供給スプールと、前記マガジンおよびカメラの機能であって、前記カメラによって前記第１の面が露光されると前記ストックが提供される巻き取りスプールとを含むものである。
【請求項６１】
請求項６０記載の方法において、前記フィルムカメラ用マガジンは、前記巻き取りスプールから前記ストックを前記フィルムゲートに提供し、前記反対面を露光するよう動作可能であり、前記マガジンは、さらに、前記反対面の露光後、前記ストックが前記供給スプールに再び巻付けられるよう提供するものであり、この際、前記ストックの反対面の全長が露光された後、前記ストックの全てが前記供給スプール上にあるようになっているものである。
【請求項６２】
請求項６０記載の方法において、前記カメラおよびマガジンは、前記巻き取りスプールから前記ストックを前記フィルムゲートに提供し、前記反対面を露光するよう動作可能であり、前記カメラおよびマガジンは、さらに、前記反対面の露光後、前記ストックが前記供給スプールに再び巻付けられるよう提供するものであり、この際、前記ストックの反対面の全長が露光された後、前記ストックの全てが選択的に前記供給スプール上にあるようになっているものである。
【請求項６３】
請求項４６記載の方法において、この方法は、さらに、
前記画像記録材料を前記フィルムゲートに接触させる工程と、
前記画像記録材料の反対面の乳剤を露光するために前記画像記録材料を再配置する工程とを有するものである。
【請求項６４】
請求項４６記載の方法において、この方法は、さらに、
前記カメラの容器内のフィルム管理コンポーネントを介して、前記カメラのフィルム送り機能を中断することなく、前記画像記録材料を前記カメラのフィルムゲートに提供する工程を有するものである。
【請求項６５】
請求項４６記載の方法において、露光後、選択された現像処理施設によって前記容器が開かれ、前記画像記録材料が取り出されるものである。
【請求項６６】
請求項６５記載の方法において、前記容器は再使用可能なフィルムマガジンであり、製造業者によってこの再使用可能なフィルムマガジンに前記画像記録材料が装填されるものである。
【請求項６７】
請求項６５記載の方法において、前記容器は、前記画像記録材料の現像処理前に製造業者によって取り出されるものである。
【請求項６８】
請求項４６記載の方法において、前記材料再配置機構は前記容器内にあるものである。
【請求項６９】
請求項６８記載の方法において、前記材料再配置機構は、前記画像記録材料を前記容器内に配置し、前記画像記録材料の反対面を前記カメラに提供して露光するものである。
【請求項７０】
請求項４６記載の方法において、前記材料再配置機構は前記カメラ内にあるものである。
【請求項７１】
請求項４６記載の方法において、前記材料再配置機構は前記カメラおよび前記容器内にあるものである。
【請求項７２】
請求項７０記載の方法において、この方法は、さらに、
可動ゲート機構によって前記画像記録材料を回転させる工程と、前記画像記録材料の反対面を提供して露光する工程とを有するものである。
【請求項７３】
請求項７０記載の方法において、この方法は、さらに、
前記材料再配置機構内の光転換装置によって乳剤面を互い違いに露光する工程を有するものである。
【請求項７４】
請求項７３記載の方法において、この方法は、さらに、
前記画像記録材料の第１の面の乳剤面および反対面の乳剤面を交互に露光する工程を有するものである。
【請求項７５】
請求項７３記載の方法において、この方法は、さらに、
前記画像記録材料の第１の面の乳剤面と、反対面の乳剤面と、隣接面の乳剤面とを交互に露光する工程を有するものである。
【請求項７６】
請求項６７記載の方法において、前記ゲートは互いに対向しているものである。
【請求項７７】
請求項７３記載の方法において、前記ストックの再配置機構は、前記レンズに対してオフセットされているものである。
【請求項７８】
請求項７３記載の方法において、前記ゲートは互いにオフセットされているものである。
【請求項７９】
請求項７３記載の方法において、フィルムの断続的な移動速度は減少するものである。
【請求項８０】
請求項７９記載の方法において、カメラのフレームレートは減少するものである。
【請求項８１】
請求項７３記載の方法において、画像記録材料面はレンズ面に垂直である。
【請求項８２】
請求項７３記載の方法において、画像記録材料の露光位置は、断続的に移動する前において垂直である。
【請求項８３】
請求項７３記載の方法において、この方法は、さらに、
光転換装置を介して前記画像記録材料の各面に完全なレンズ画像を提供する工程を有するものである。
【請求項８４】
請求項６８記載の方法において、この方法は、さらに、
ビーム分割装置によって各面に部分的画像を提供する工程を有するものである。
【請求項８５】
請求項６８記載の方法において、この方法は、さらに、
前記画像記録材料が前記カメラに再び戻される前に、当該画像記録材料を選択的に１８０度回転させ、当該画像記録材料の反対面を露光のために前記カメラに提供する工程を有するものである。
【請求項８６】
請求項８５記載の方法において、前記画像記録材料の乳剤面は少なくとも倍増されるものである。
【請求項８７】
請求項８５記載の方法において、前記材料再配置機構は、前記画像記録材料を長手方向に１８０度回転させるものである。
【請求項８８】
請求項６８記載の方法において、前記材料再配置機構は、前記容器内の前記画像記録材料を再配置し、前記画像記録材料の反対面を露光のために前記カメラに提供するものである。
【請求項８９】
請求項８８記載の方法において、前記材料再配置機構は、前記画像記録材料の後端部を前記カメラに提供するものである。
【請求項９０】
請求項８５記載の方法において、前記材料再配置機構は、前記画像記録材料の送り方向を逆にするものである。
【請求項９１】
視覚情報記憶容量を増加するためのシステムであって、
視覚映像情報を記録するための画像記憶媒体と、
光の入力を受容し、前記記憶媒体に視覚映像情報を提供する画像受容コンポーネントと、
前記視覚情報の少なくとも２つの同一部分を、前記画像受容コンポーネントの１若しくはそれ以上の画像キャプチャ要素に中継する視覚映像情報分割コンポーネントと
を有するシステム。
【請求項９２】
請求項９１記載のシステムにおいて、前記画像受容コンポーネントはカメラである。
【請求項９３】
請求項９１記載のシステムにおいて、前記画像に関連する視覚映像情報は、単一レンズを通して中継されるものである。
【請求項９４】
請求項９１記載のシステムにおいて、前記画像受容コンポーネントはデジタルカメラまたはフィルムカメラである。
【請求項９５】
請求項９１記載のシステムにおいて、前記視覚映像情報は、電磁、可視光、赤外線、紫外線、Ｘ線、核磁気、またはデジタルの画像情報である。
【請求項９６】
視覚情報記憶容量を増加するための装置であって、
視覚映像情報を記録するための画像記憶媒体と、
光の入力を受容し、前記記憶媒体に視覚映像情報を提供する画像受容コンポーネントと、
前記視覚情報の少なくとも２つの同一部分を、前記画像受容コンポーネントの１若しくはそれ以上の画像キャプチャ要素に中継する視覚映像情報分割コンポーネントと
を有する装置。
【請求項９７】
請求項９６記載の装置において、前記画像受容コンポーネントはカメラである。
【請求項９８】
請求項９６記載の装置において、前記画像に関連する視覚映像情報は、単一レンズを通して中継されるものである。
【請求項９９】
請求項９６記載の装置において、前記画像受容コンポーネントはデジタルカメラまたはフィルムカメラである。
【請求項１００】
請求項９６記載の装置において、前記視覚映像情報は、電磁、可視光、赤外線、紫外線、Ｘ線、核磁気、またはデジタルの画像情報である。
【請求項１０１】
視覚情報記憶容量を増加するための方法であって、
画像受容コンポーネントに光の入力を受容する工程と、
前記光の入力を視覚映像情報に変換する工程と、
視覚映像情報分割コンポーネントにより、前記視覚映像情報の少なくとも２つの同一部分を、前記画像受容コンポーネントの１若しくはそれ以上の画像キャプチャ要素に中継する工程と
を有する方法。
【請求項１０２】
請求項１０１記載の方法において、前記画像受容コンポーネントはカメラである。
【請求項１０３】
請求項１０１記載の方法において、前記画像に関連する視覚映像情報は、単一レンズを通して中継されるものである。
【請求項１０４】
請求項１０１記載の方法において、前記画像受容コンポーネントはデジタルカメラまたはフィルムカメラである。
【請求項１０５】
請求項１０１記載の方法において、前記視覚映像情報は、電磁、可視光、赤外線、紫外線、Ｘ線、核磁気、またはデジタルの画像情報である。
【発明の詳細な説明】
【技術分野】
【０００１】
本特許出願は、２００５年７月２２日付けで出願された「ＭＥＴＨＯＤ，  ＳＹＳＴＥＭ  ＡＮＤ  ＡＰＰＡＲＡＴＵＳ  ＦＯＲ  ＩＮＣＲＥＡＳＩＮＧ  ＱＵＡＬＩＴＹ  ＯＦ  ＦＩＬＭ  ＣＡＰＴＵＲＥ（フィルムキャプチャの質を向上するための方法、システム、および装置）」と題する米国仮特許出願第６０／７０１，４２４号明細書、２００５年７月２７日付けで出願された「ＳＹＳＴＥＭ，  ＭＥＴＨＯＤ  ＡＮＤ  ＡＰＰＡＲＡＴＵＳ  ＦＯＲ  ＣＡＰＴＵＲＩＮＧ  ＡＮＤ  ＳＣＲＥＥＮＩＮＧ  ＶＩＳＵＡＬＳ  ＦＯＲ  ＭＵＬＴＩＤＩＭＥＮＳＩＯＮＡＬ  ＤＩＳＰＬＡＹ（多次元表示用映像のキャプチャおよび映写のためのシステム、方法、および装置）」と題する米国仮特許出願第６０／７０２，９１０号明細書、２００５年８月２５日付けで出願された「ＳＹＳＴＥＭ，  ＭＥＴＨＯＤ  ＡＰＰＡＲＡＴＵＳ  ＦＯＲ  ＣＡＰＴＵＲＩＮＧ  ＡＮＤ  ＳＣＲＥＥＮＩＮＧ  ＶＩＳＵＡＬＳ  ＦＯＲ  ＭＵＬＴＩ−ＤＩＭＥＮＳＩＯＮＡＬ  ＤＩＳＰＬＡＹ（多次元表示用映像のキャプチャおよび映写のためのシステム、方法、および装置）（追加的開示）」と題する米国仮特許出願第６０／７１１，３４５号明細書、２００５年８月２５日付けで出願された「Ａ  ＭＥＴＨＯＤ，  ＳＹＳＴＥＭ  ＡＮＤ  ＡＰＰＡＲＡＴＵＳ  ＦＯＲ  ＩＮＣＲＥＡＳＩＮＧ  ＱＵＡＬＩＴＹ  ＯＦ  ＦＩＬＭ  ＣＡＰＴＵＲＥ（フィルムキャプチャの質を向上するための方法、システム、および装置）」と題する米国仮特許出願第６０／７１０，８６８号明細書、２００５年８月２９日付けで出願された「Ａ  ＭＥＴＨＯＤ，  ＳＹＳＴＥＭ  ＡＮＤ  ＡＰＰＡＲＡＴＵＳ  ＦＯＲ  ＩＮＣＲＥＡＳＩＮＧ  ＱＵＡＬＩＴＹ  ＡＮＤ  ＥＦＦＩＣＩＥＮＣＹ  ＯＦ  ＦＩＬＭ  ＣＡＰＴＵＲＥ（フィルムキャプチャの質および効率を向上するための方法、システム、および装置）」と題する米国仮特許出願第６０／７１２，１８９号明細書、２００５年１０月１６日付けで出願された「Ａ  ＭＥＴＨＯＤ，  ＳＹＳＴＥＭ  ＡＮＤ  ＡＰＰＡＲＡＴＵＳ  ＦＯＲ  ＩＮＣＲＥＡＳＩＮＧ  ＱＵＡＬＩＴＹ  ＯＦ  ＤＩＧＩＴＡＬ  ＩＭＡＧＥ  ＣＡＰＴＵＲＥ（デジタル画像キャプチャの質を向上するための方法、システム、および装置）」と題する米国仮特許出願第６０／７２７，５３８号明細書、２００５年１０月３１日付けで出願された「Ａ  ＭＥＴＨＯＤ，  ＳＹＳＴＥＭ  ＡＮＤ  ＡＰＰＡＲＡＴＵＳ  ＦＯＲ  ＩＮＣＲＥＡＳＩＮＧ  ＱＵＡＬＩＴＹ  ＡＮＤ  ＥＦＦＩＣＩＥＮＣＹ  ＯＦ  ＦＩＬＭ  ＣＡＰＴＵＲＥ  ＷＩＴＨＯＵＴ  ＣＨＡＮＧＥ  ＯＦ  ＦＩＬＭ  ＭＡＧＡＺＩＮＥ  ＰＯＳＩＴＩＯＮ（フィルムマガジンの位置を変更せずキャプチャの質および効率を向上するための方法、システム、および装置）」と題する米国仮特許出願第６０／７３２，３４７号明細書、２００５年１１月２２日付けで出願された「ＤＵＡＬ  ＦＯＣＵＳ（二重焦点）」と題する米国仮特許出願第６０／７３９，１４２号明細書、２００５年１１月２５日付けで出願された「ＳＹＳＴＥＭ  ＡＮＤ  ＭＥＴＨＯＤ  ＦＯＲ  ＶＡＲＩＡＢＬＥ  ＫＥＹ  ＦＲＡＭＥ  ＦＩＬＭ  ＧＡＴＥ  ＡＳＳＥＭＢＬＡＧＥ  ＷＩＴＨＩＮ  ＨＹＢＲＩＤ  ＣＡＭＥＲＡ  ＥＮＨＡＮＣＩＮ��  ＲＥＳＯＬＵＴＩＯＮ  ＷＨＩＬＥ  ＥＸＰＡＮＤＩＮＧ  ＭＥＤＩＡ  ＥＦＦＩＣＩＥＮＣＹ（解像度を強化すると共に媒体効率を拡張する、ハイブリッドカメラ内変動キー・フレーム・フィルム保持枠のためのシステムおよび方法）」と題する米国仮特許出願第６０／７３９，８８１号明細書、および２００５年１２月１５日付けで出願された「Ａ  ＭＥＴＨＯＤ，  ＳＹＳＴＥＭ  ＡＮＤ  ＡＰＰＡＲＡＴＵＳ  ＦＯＲ  ＩＮＣＲＥＡＳＩＮＧ  ＱＵＡＬＩＴＹ  ＡＮＤ  ＥＦＦＩＣＩＥＮＣＹ  ＯＦ  （ＤＩＧＩＴＡＬ）  ＦＩＬＭ  ＣＡＰＴＵＲＥ（（デジタル）フィルムキャプチャの質および効率を向上するための方法、システム、および装置）」と題する米国仮特許出願第６０／７５０，９１２号明細書に基づき、且つ前記明細書に対して利益を主張するものである。また、前記明細書の全体はこの参照により本明細書に組み込まれるものである。本特許出願は、さらに、２００６年６月２１日付けで出願された「ＭＥＴＨＯＤ，  ＳＹＳＴＥＭ  ＡＮＤ  ＡＰＰＡＲＡＴＵＳ  ＦＯＲ  ＥＸＰＯＳＩＮＧ  ＩＭＡＧＥＳ  ＯＮ  ＢＯＴＨ  ＳＩＤＥＳ  ＯＦ  ＣＥＬＬＯＩＤ  ＯＲ  ＯＴＨＥＲ  ＰＨＯＴＯ  ＳＥＮＳＩＴＶＥ  ＢＥＡＲＩＮＧ  ＭＡＴＥＲＩＡＬ（セルロイドまたは他の感光材料の両面に画像を露出するための方法、システム、および装置）」と題する米国仮特許出願、２００５年６月２１日付けで出願された米国仮特許出願第６０／６９２，５０２号に対して利益を主張する米国非仮特許出願、２００６年６月５日付けで出願された「ＭＵＬＴＩ−ＤＩＭＥＮＳＩＯＮＡＬ  ＩＭＡＧＩＮＧ  ＳＹＳＴＥＭ  ＡＮＤ  ＭＥＴＨＯＤ（多次元画像システムおよび方法）」と題する米国特許出願第１１／４４７，４０６号明細書、および２００６年４月２０日付けで出願された「ＳＹＳＴＥＭ  ＡＮＤ  ＭＥＴＨＯＤ  ＴＯ  ＳＩＭＵＬＡＴＥ  ＦＩＬＭ  ＯＲ  ＯＴＨＥＲ  ＩＭＡＧＩＮＧ  ＭＥＤＩＡ（フィルムまたは他の画像媒体をシミュレートするためのシステムおよび方法）」と題する米国特許出願第１１／４０８，３８９号明細書の全体は、この参照により本明細書に組み込まれるものである。
【０００２】
本発明は、画像記憶媒体の視覚情報記憶容量を増加するためのシステム、装置、または方法に関するものである。本発明は、さらに、媒体記憶容量の増加および画像記録材料の乳剤面の増加のためのシステム、装置、または方法に関するものである。
【背景技術】
【０００３】
デジタル作成システムおよび映画・テレビオプションがフィルム作成市場に到来したことは、フィルム作成および映画撮影術の分野における問題および課題である。フィルムは映画撮影者が好む芸術媒体であるが、フィルムおよびフィルム現像に費用が掛かり、装置が扱い難く、重いという欠点がある。さらに、デジタルおよびビデオの場合のように、キャプチャ中のものをその場で明確に見ることができないという欠点があるため、フィルムを選択することは今日の撮像環境においてますます難しくなっている。本技術分野には、フィルム技術の利点をカメラ操作およびフィルム現像処理における向上と組み合わせた、フィルムストックを使用するためのより効率的且つ費用効果の高いシステムが必要である。
【発明の開示】
【課題を解決するための手段】
【０００４】
本発明は、画像記憶媒体の視覚情報記憶容量を増加するためのシステム、装置、または方法に関するものである。本発明は、さらに、画像記録材料の媒体記憶容量を増加するためのシステム、装置、または方法に関するものである。本発明は、媒体記録容量を増加するためのシステム、およびフィルムストックの乳剤面を少なくとも倍増するためのシステムを提供する。本発明は、乳剤が塗付された画像記録材料またはフィルムストックを利用するためのシステムを提供するものであり、前記システムにおいては、セルロイドまたは関連する乳剤支持材料の「量」は全て同量に維持されるため、必ずしも重量を増やさずに、映像を記録（キャプチャ）するために利用可能な乳剤の「量」が少なくとも倍増される。「分割」可能、且つセルロイドなどのその他の材料によって支持される乳剤の２つの別々の「ストリップ」としてスキャン（デジタル化）可能な特質を有する両面（両面乳剤）フィルムストックを使用することができる。
【０００５】
本発明が提供する、媒体記憶容量を増加するためのシステムは、画像記録材料をカメラに格納および提供するための容器を有するものであり、前記画像記録材料は、第１の面と、反対面と、前端部および後端部と、当該画像記録材料の前記第１の面を少なくとも１つのカメラのフィルムゲートに供給して露光し、且つ当該画像記録材料の前記反対面を前記少なくとも１つのカメラのフィルムゲートに供給して露光するための材料再配置機構とを有するものである。１つの観点において、前記材料再配置機構は、前記ストックを長手方向に約１８０度回転させ、前記画像記録材料の反対面を前記ゲートを通過するように供給して露光する。前記画像記録材料の前端部を前記画像記録材料の後端部に接合することが可能であり、この接合によって、前記材料がカメラのフィルムゲートに連続的に供給され、前記第１の面を露光するためのループが提供される。前記材料再配置機構は、さらに、回転可能な接合装置を有することができ、前記接合装置は前記ストックに接触し、当該ストックの連続ループの接合端部の間に配置される。前記材料再配置機構は、前記容器内、前記カメラ内、または前記カメラおよび容器内に入れることができる。前記材料再配置機構は、前記画像記録材料の反対面が前記カメラに提供され、且つ露光されるよう前記画像記録材料を位置決めする。前記材料再配置機構は、さらに、回転可能な接合装置を有することができ、前記接合装置は前記ストックに接触し、当該ストックの連続ループの接合端部の間に配置される。１つの観点において、前記画像記録材料は、乳剤が塗付された画像記録材料である。追加的観点において、前記画像記録材料は写真フィルムストックである。
【０００６】
本発明が提供する、媒体記憶容量を増加するための装置は、画像記録材料をカメラに格納および提供するための容器を有するものであり、前記画像記録材料は、第１の面と、反対面と、前端部および後端部と、当該画像記録材料の前記第１の面をカメラのフィルムゲートに供給して露光し、且つ当該画像記録材料の反対面を前記カメラのフィルムゲートに供給して露光するための材料再配置機構とを有するものである。
【０００７】
本発明が提供する、媒体記憶容量を増加するための方法は、画像記録材料を格納するための容器を有するものであり、前記画像記録材料は、第１の面と、反対面と、前端部および後端部とを有し、前記画像記録材料をカメラに供給して前記第１の面を露光する工程と、前記第１の面の露光後に前記画像記録材料を前記カメラに供給して前記反対面を露光する工程とを有するものである。
【０００８】
本発明が提供する、視覚情報記憶容量を増加するためのシステムは、視覚映像情報を記録するための画像記憶媒体と、光の入力を受容して前記記憶媒体に視覚映像情報を提供する画像受容コンポーネントと、前記視覚情報の少なくとも２つの同一部分を前記画像受容コンポーネントの１若しくはそれ以上の画像キャプチャ要素に中継する視覚映像情報分割コンポーネントとを有するものである。
【０００９】
本発明が提供する、視覚情報記憶容量を増加するための装置は、視覚映像情報を記録するための画像記憶媒体と、光の入力を受容して前記記憶媒体に視覚映像情報を提供する画像受容コンポーネントと、前記視覚情報の少なくとも２つの同一部分を前記画像受容コンポーネントの１若しくはそれ以上の画像キャプチャ要素に中継する視覚映像情報分割コンポーネントとを有するものである。
【００１０】
本発明が提供する、視覚情報記憶容量を増加するための方法は、画像受容コンポーネントに光の入力を受容する工程と、前記光の入力を映像情報に変換する工程と、視覚映像情報分割コンポーネントにより、前記視覚映像情報の少なくとも２つの同一部分を、前記画像受容コンポーネントの１若しくはそれ以上の画像キャプチャ要素に中継する工程とを有するものである。
【発明を実施するための最良の形態】
【００１１】
本発明は、画像記憶媒体の視覚情報記憶容量を増加するためのシステム、装置、または方法に関するものである。本発明は、さらに、画像記録材料の媒体記憶容量を増加するためのシステム、装置、または方法に関するものであり、さらに、媒体記憶容量および画像記録材料の乳剤面を増加するためのシステム、装置、または方法に関するである。本発明においては、セルロイドまたは関連する乳剤支持材料の「量」は全て同量に維持されるため、必ずしも重量を増さずに、映像を記録（キャプチャ）するために利用可能な乳剤の「量」を少なくとも倍増するものである。「分割」可能、且つセルロイドなどのその他の材料によって支持される乳剤の２つの別々の「ストリップ」としてスキャン（デジタル化）可能な特質を有する両面（両面乳剤）フィルムストックを使用することができる。フィルムストックを「単一のストリップ」として維持することもでき、この場合、各乳剤層の背後の白色材料若しくはその他の反射材によって、処理された乳剤を平面アートとしてスキャンすることが可能になり、スキャン中にフィルムを通過する投影光は必要としない。
【００１２】
従来のフィルムカメラは、未露光のフィルムをマガジン収納部の一方の側にスプールし、前記マガジンから出てくるフィルムの「ループ」が前記カメラの送り機構を通り抜けた後に、カメラのフィルムゲートに前記フィルムを提供し、さらに当該フィルムを露光および前記カメラの外部に送り出した後、露光されたフィルムストックを前記マガジンのもう一方の側に戻すものである。本明細書が提供する工程の改良は、特に、フィルム媒体を前記カメラに「二度」供給することを目的とするものであり、特別に準備された、両面に乳剤を有する映画ストックを前記カメラのフィルムゲートで露光することを意図するものである。基本的には、前記フィルムストックは、その全長が前記カメラによって露光された後前記カメラに戻され、次に１８０度再配置されて前記カメラの機構をもう一度「通過」することにより、同じく写真乳剤が塗布されている（不透明層によって反対面と分離されている）裏面にも、光化学処理を経て現像される潜在画像データを記録することができる。前記マガジン内において「連続ループ」の形態で前記フィルムストックが提供される場合は、前記カメラの２度目の通過は同一方向となり、あるいは逆方向となり（露光前のストックが収納されていた元のマガジン側に前記ストックは戻される）、露光後のストックを前記マガジン内の最初の位置へ供給する。
【００１３】
キャプチャ装置の形態およびキャプチャ媒体（例えばフィルムストック）を大幅に変更せずにキャプチャされたフィルム画像の質および量の両方を選択的に向上するための方法、システム、または装置を提供する。媒体記録容量を増加するためのシステムは、（フィルムストックなどの）乳剤が塗付された画像記録材料を記憶および提供するための容器と、２つの接合端部（「前端部」および「後端部」）を有する前記画像記録材料のストリップと、上面、すなわち「第１の面」（通常、写真乳剤が塗布されている面として知られている面）および反対面（本発明の好ましい実施形態ではこの面も乳剤で塗布される）であって、カメラのフィルムゲートに前記材料を連続供給して当該上面の露光するためのループを提供するものである、前記上面および反対面と、前記材料の反対面を前記カメラのフィルムゲートに供給して露光ための前記容器の材料再配置態様とを有する。
【００１４】
１つの観点において、前記システムは、両方向に露光されるフィルムを選択的に送るフィルムマガジンを提供するものであり、これにより、フィルムの全長を「反転」させ、再び（最初の「後端部」から「前端部」へ）露光することができる。しかし、この好ましい実施形態において、「使い捨て可能」または再使用可能なマガジンの形態で提供される前記フィルムストックは、選択的に、予め設定された「ひねり」、すなわち前記フィルムを「端部」で１８０度反転させる能力を含むことができるものであり、連続ループの形態は前記マガジンに含まれる前記フィルムの「端部」を始点にリンクする。意図的に前記端部／始点に置かれた前記フィルムの接合「反転」を管理する手段（特別のローラーなど）を選択的に含めることにより、全長（例えば１６ｍｍフィルムでは４００フィート）に達したときにほとんど若しくは全く中断することがなく、且つ前記フィルムをひねることによって、前記フィルムの「裏」面の同一の４００フィートを再び露光することが可能となる。
【００１５】
さらに別の形態において、前記フィルムストックの裏面を前記カメラのゲート領域（レンズに面する）に提供するための前記フィルムストックのひねりまたは「反転」は、それ自体をアンロックして１８０度反転するフィルムゲートを用いて達成される。このフィルムゲートにより、前記フィルムをひねり、前記カメラのレンズが対象としている映像と前記フィルムの裏面が整合される。このゲート反転は、手動で実現することも、若干の遅れを伴って前記カメラ自体によって選択的に実現することもできる。追加的なフィルム管理ガイド（例えばローラー）を選択的に起動し、前記「ひねり」の位置に配置されたフィルムを管理するために用いることによって、詰まりを回避することができる。当然、反転可能なマガジンを「反転」させて再装填する手段として、より面倒な仲介手段を選択的に用いて前記フィルムストックの「反対面」（本発明の形態では当該面も乳剤被覆されている）を露光するという目標を達成することも可能だが、そのような手段は、より望ましい目標、すなわち、中断なく（若しくは中断がほとんどないように）フィルムストックの一方の面の全長を露光後に反対面を露光することによってこのオプションを商業的且つロジスティック的に実現可能なものとするという目標にそぐわないものである。
【００１６】
本発明の概念は、フィルムゲートを通して断続的に同一の長さのストックを提供して露光することにより、ストックの「両面」の全長を、前記カメラレンズを通して入る光に露光することである。前記ストックの戻しおよび再配置の両方を扱うロジスティック的課題がある。１つの観点において、前記システムまたは装置の構成は、前記カメラの構成を全く変えない、若しくはできる限り変えないものである。追加的観点において、前記構成は、フィルムマガジンの製造業者が装填する再使用可能なフィルムマガジンを含み、前記フィルムマガジンは前記カメラの使用者または操作者によって開かれずに、処理のために前記製造業者に戻される。前記フィルムの処理者は、露光後のフィルムを取り出し、通常、露光後のストックを再び装填する。
【００１７】
このフィルム供給および再配置の機構では、フィルムストックの装填および取り出しは複雑になるが、不可能ではない。前記フィルムカメラ用ゲートが１８０度反転することによって前記ストックを再配置する場合、この再配置の間に前記ストックは前記フィルムゲートを通過し、前記マガジンは、おそらく、前記ストックの詰まりまたはその他のフィルム送り上の問題なく前記ストックを反対方向に送ることが可能なだけの、従来の構成にはるかに近い構成を維持することができる。この場合も、例えばローラーやその他のフィルム送り構成など、前記ゲート以外のその他のカメラコンポーネントを前記ストックの再配置手段として、当該ストックを回転させ、前記セルロイドの反対面をレンズに向けることもできる。
【００１８】
前記マガジン内でフィルムの全長に達すると、ストリップの構成が接合形態または非接合形態（連続ループか否か）に関わらず、追加的オプションである手動、半自動、または全自動によるフィルムストックの「回転」（すなわち前記フィルムを１８０度再配置して当該フィルムの反対面がレンズに向かった前記フィルムゲートに移動すること）は、目盛盤のような簡便な装置を含むことによって、使用者が前記ストックを再配置し、フィルム管理コンポーネント（例えばローラー）を選択的に連動し、機能的な方法で「ひねり」を維持し、前記フィルムによって引き起こされる可能性のある詰まりまたは関連問題を起こさずに、前記フィルムを前記ゲートに供給することを可能にし、前記フィルムは基本的に、未露光の乳剤が前記ゲートに供給される前に、「ひねり」によって断続的に移動し始める。この手動または自動再配置は、前記マガジンおよび／またはカメラに組み込まれた前記再配置装置の複雑さに応じて、前記の送り動作および操作の一時停止を必要とする場合と必要としない場合がある。
【００１９】
簡便な構成においては、フィルムストック全長が（「前端部」から「後端部」へ）一度露光された後、前記マガジン収納部を再配置する（再配置可能である）。前記マガジンは、前から後ろに１８０度反転または回転する（例えば均等な反転構成を実行する潜在能力を有するＡｒｒｉｆｌｅｘおよびその他のパナビジョン製フィルム・カメラ・フォーマットでは、カメラマガジンの通常の「供給」側を通常の「巻き取り」側に移動させる）。この反転または回転によって、露光後のロールが選択的に前記カメラに再装着されること（戻ること）を可能になるが、この場合、前記マガジンが（操作者によって、および／または自動手段で）、前記フィルムストックの１８０度の「ひねり」を（前記マガジンの機能として）実行することによって、若しくは前記カメラへの装着および／またはカメラの機能で前記ストックの「ひねり」を実行することにより、（さらにストック全長をカメラに通過させる間行われる前記ストックの管理によって）、前記フィルムゲートは、前記ストックの裏面にある未露光の乳剤の全長を受容することができる（この後、この未露光の乳剤は露光される）。この場合も、前記ストックは最初の「後端部」から最初の「前端部」に戻り、両面が完全且つ選択的に、前記カメラゲートを通して前記レンズ画像によって露光される。
【００２０】
前述の両面フィルムストックを、接合部（すなわちフィルムストックの２つの面の繋ぎ領域）の「ヒンジ」または小さな継手によって、前記再配置処理の動作可能なコンポーネントとすることもでき、前記ストックの中央にある前記継手は、１８０度の反転を可能にする任意の玉継手または類似の接合装置のように、１８０度の反転を可能にするものである。２方向におけるカメラ移動の場合は、前記カメラを再度完全に通り抜けるという追加オプションがあり、マガジンを回転させて前記マガジンの「両側」を前後または左右に反転するというオプションを含み、それによって、前記マガジンの「露光された」面を「未露光の面」に回転させる。これにより、ひねりまたはその他の手段によって前記ストックの再配置を達成し、前記ゲートに前記ストックの未露光の「面」が提供可能になった後、前記ストックを再び、前と同様に前記ゲートに供給する。
【００２１】
本発明が提供する、画像媒体記録容量を増加するためのシステムは、協働するフィルムカメラとフィルム収納マガジンとを有するものであり、それによって、前記カメラの機能として、セルロイドの写真乳剤両面の全長を、前記マガジンの巻き取りリールから前記カメラの露光ゲートに戻し、前記カメラの露光ゲートを通して２度目の移動を行い、前記セルロイドの第２の乳剤面をレンズ画像に露光することができるものであり、さらに、前記システムは、前記カメラの機能として両方の乳剤面が露光されたセルロイドを前記マガジンに移動させ、両方の乳剤面が未露光の状態のセルロイドを最初に収納していたマガジンの収納スプールに前記セルロイドを戻す。
【００２２】
本発明は特定の方法、装置、またはシステムに限定されるものではなく、それらは当然、変更可能なものと理解されるべきである。また、本明細書に用いられている用語は、特定の実施形態を説明することのみを目的とするものであり、限定する意図はない。本明細書および付属の請求項に用いられる「ａ」、「ａｎ」、および「ｔｈｅ」という単数形は、複数を含めないことがその内容から明らかでない限り、複数の参照も含める。よって、例えば、「ａ  ｃｏｎｔａｉｎｅｒ」（容器）という場合、２若しくはそれ以上の容器の組み合わせなども含む。
【００２３】
量、時間など計測可能な値を表す場合に本明細書で用いられる用語「ａｂｏｕｔ」（約）は、特定の値から±２０％または±１０％、より好ましくは±５％、さらに好ましくは±１％、またさらに好ましくは±０．１％の変動を含むことを意味するものであり、そのような変動は本明細書に開示する方法を実行するために適切である。
【００２４】
本明細書に用いられる全ての技術用語、科学用語、または当該技術分野の用語は、本発明分野の当業者が一般に理解する意味と異なる定義が与えられない限り、前記意味と同じである。本発明の実用化において、本明細書で説明されたものと類似または同等の任意の方法または材料を用いることは可能であるが、本発明の好ましい方法または材料を本明細書で説明する。本発明の明細書および請求項において、以下の用語が用いられる。
【００２５】
「記録」とは、写真乳剤にキャプチャされた潜在画像として最初に記憶される画像を含むことを指す。
【００２６】
「撮像装置」とは、画像のキャプチャ、サンプル抽出、および／またはデジタル化が可能な任意の装置を指す。撮像装置の一例はスキャナであるが、これに限定されない。
【００２７】
「撮影レンズ画像」とは、前記カメラレンズによって収集され、後の画像キャプチャのために中継される映像を指す。あるいは、「キャプチャされたレンズ画像」とは、前記カメラレンズによって収集され、後の画像キャプチャのために中継される映像に関係する光を指す場合がある。
【００２８】
「画像記録材料」とは、映像を記録するための任意のデジタル記録媒体、または映像を記録するためのセルロイドのような任意の透明または半透明媒体を指す。前記「画像記録材料」は、映像をデジタルに記録するためのデジタル記録媒体でもよい。前記「画像記録材料」は、例えば乳剤が塗付された画像記録材料など、セルロイド記録媒体でもよい。
【００２９】
「乳剤が塗付された画像記録材料」とは、付加的感光乳剤を含有し、選択された刺激体（通常は光）に対して適切な露光が行われるよう未露光の乳剤を適所に維持し、且つ投影、スキャン、写真印刷、またはその他の画像目的のために処理された乳剤を含有する、セルロイドのような透明または半透明の媒体を指す。「乳剤面」とは、セルロイドのようなフィルムストック包含媒体であり、この媒体においては、当該媒体の両面である２面に写真乳剤を塗布するオプションがある。「乳剤処理済」とは、最初は未露光の写真乳剤が塗布された（または含有する）媒体を意味する。
【００３０】
「カメラのフィルムゲート」とは、カメラ内での断続的なフィルム送りの休止中感光フィルム乳剤への記録が行われるときに、レンズ画像の画像キャプチャゾーンを取り囲む正方形または長方形のフィルム安定化フレームを指す。
【００３１】
「前記材料をカメラのフィルムゲートに連続供給するためのループを提供する工程」とは、セルロイド（材料）が末端部で接合されて後端部が前端部に繋がることにより、当該セルロイドが後端部の長さに達した後、再度その全長を通過させることが可能となることを指す。
【００３２】
「材料再配置機構」または「ストック再配置機構」とは、通常、フィルムスプロケットと係合するローラーおよび／またはタンブラーを有する、材料（フィルムなど）管理アセンブリおよび位置決めアセンブリを指し、通常、撮像機能の一態様としてフィルムを移動させるカメラ、フィルムマガジン、フォトプリンタ、スキャナ、投影機、またはその他の撮像装置のような装置の特定の機能に適合するために、特定の方向に材料（フィルムなど）を導くものである。
【００３３】
「回転可能な接合装置」とは接合装置を指し、通常の接着剤またはテープで接合されたフィルムと異なり、この接合装置は接合する材料の一方の面を少なくとも１８０度反転させる能力およびこの新たに反転された接合位置を維持する能力を当該設計または材料特性に備えている。
【００３４】
「玉継手」とは人の股関節のような継手部を指し、球形部は、好ましくは前記球面すなわち「前記球形部の面」の２分割線を越えて延出する凹形の収納ハウジングによって囲まれており、前記球形部は一方の物体に収納され、前記収納ハウジングはもう一方の物体に収納されているので、前記２つ（球形部および収納ハウジング）は、当該球形部が当該ハウジング内で回転するに従って、連結された状態で多方向に自由に動くことができる。
【００３５】
「ローラー機構」とは映画用カメラを通って移動されるフィルムストックの方向を導き、前記方向に作用する、前記映画用カメラ内のローラーを指す。
【００３６】
「弾性部材」とはゴムのような柔軟な部品であり、前記部品全体に沿った２つの別個の端部または点の継ぎ目の接合を破損および損失することなく、広範な動きと再配置を可能にするものである。
【００３７】
「容器」とは、その機能として媒体またはその他の物体を保持する装置を指し、前記媒体またはその他の物体を特定の方法で提供し、包含された媒体が提供される装置の機能に対応するものである。
【００３８】
「映画フィルムカメラ用マガジン」とは、光が遮断された容器であり、通常、映画用マガジンの上にあるが、当該カメラの背後にあることも多い。この映画フィルムカメラ用マガジンには、未露光フィルム媒体を有し、前記容器またはマガジンのコンポーネントと協動するカメラによって起動され、当該媒体を提供するスプール、および当該カメラによって起動されて当該媒体を受容し、露光後媒体を有するスプールのそれぞれ２つのスプールがある。
【００３９】
「フィルム管理コンポーネント」とは、通常、カメラ（または投影機、スキャナ、プリンタ、またはその他のフィルム連動装置）を通過するフィルム媒体を移動させ、張力と強靭性を維持しつつ導くローラーおよびスプロケットタンブラーを指す。
【００４０】
「ストック再配置機構は前記ストックを長手方向に約１８０度回転させる」とは、フィルムストックを長方向ではなく幅方向を軸として反転し、それまで前記フィルムストックの裏面が占有していた対面位置にもう一方の面を向けることを指す。
【００４１】
「光転換装置」とは、画像に関係する光を含む光路を変えることができる鏡、レンズ、およびその他の、光に作用する手段を指す。
【００４２】
「乳剤面を選択的に互い違いに露光するための光転換装置」とは、レンズ画像に関連する光路を反射または歪曲することによって画像路に作用するまたは画像路を変更する要素を指し、それによって、乳剤支持セルロイドの単一ストリップの両面である２つの異なるソースに前記レンズ画像を交互に連続的に提供する。光転換装置は、前記ストックの各面に完全なレンズ画像を提供することができる。
【００４３】
「可動ゲート機構」とは、（高さではなく）幅を軸として１８０度反転する能力を有するフィルムゲートを指す。
【００４４】
「前記乳剤面を前記フィルムストックの両面および／または隣接する面に交互に露光する」とは、両面（両面乳剤処理された）セルロイドストリップの露光が、直前に露光された乳剤領域の正反対面で連続的に起きるか、若しくはオフセットし、正反対ではない反対面の乳剤の一部が、画像に関係する光に露光される次の乳剤ゾーンになることを指す。それらのゲートは互いに対向し、セルロイドの同一の特定部分と当接する。代替観点においては、前記ゲートを互いにオフセットすることができる。
【００４５】
「ストック再配置機構は前記レンズに対しオフセットされている」とは、前記レンズに向き合わないように置かれたフィルムゲートが、レンズ画像を前記レンズを通して直接受容するのではなく、光要素のような画像転換要素から受容することを指す。
【００４６】
「フィルムの断続的な移動速度」とは、映画用カメラを移動するフィルムが断続的に移動することにより、前記フィルムが再び移動して新しい乳剤を光に露出する前に、乳剤の安定した露光が可能となることを指す。例えば映画の場合、通常、前記速度は毎秒２４フレームである。しかし、前記速度は映画用カメラの操作者の選択および目標に基づき変化するものである。
【００４７】
「フィルムストック面」とは、セルロイドを基材とするフィルムの平らな乳剤面を指す。
【００４８】
「レンズ面」とは、例えば球体レンズであるレンズの外側の端に交差する面を指す。
【００４９】
「フィルムストックの露光位置は、断続的に移動する前において垂直である」とは、従来のフィルムストック、または例えばパナビジョンフォーマットのカメラシステムが、マガジンからフィルムゲートに長手方向にフィルムストックを下げることによってフィルムストックを提供することを指す。
【００５０】
「各面に部分的画像を提供するビーム分割装置」とは技術用語であり、通常、光プリズムが画像を、２若しくはそれ以上の方向に中継可能な２若しくはそれ以上の断片に分割することを指す。
【００５１】
「ストック再配置機構はフィルムストックの後端部を前記カメラに提供する」とは、前記フィルムストックの向きを変えることによって、前記カメラのレンズに対して前記ストックの裏面が前記フィルムゲートを通過できるようにすることを指す。
【００５２】
（パナビジョン（Ｐａｎａｖｉｓｉｏｎ）カメラの複雑な「Ｍｉｔｃｈｅｌｌ」ベースのフィルム通し手段と異なり）アプリフレックス（ＡＲＲＩＦＬＥＸ）カメラのような、最小限の「フィルム通し」を要求する選択されたカメラは、本発明の２次的態様の好ましい形態であり、選択的に採用することができる。この態様は、特に、映像当たりに露光される乳剤面を大幅に広げることによって、視覚的な質と解像度を劇的に増すためのものである。
【００５３】
旧ヴィスタビジョン（ＶＩＳＴＡＶＩＳＩＯＮ）技術と同様、フィルムを水平にしてフィルムゲートに提供し、画像サイズを、１６ｍｍまたは３５ｍｍのような前記フィルムの幅（ゲージサイズ）によって「縦方向」のみに限定する。本発明の好ましい実施形態において、前記フィルムストック（この例では１６ｍｍだが３５ｍｍも同等に典型的である）自体はスプロケットを必要としない。今日の技術オプションおよびフィルム送りのオプションと用いると、スプロケットは使いにくく、潜在映像記憶媒体を無駄にするものである。前記３５ｍｍ構成での本発明は、（重要な点として）、既存のどのデジタル情報キャプチャ手段よりも優れた解像度および質（元の質）を提供し、「明日の」デジタル（またはその他の）技術のみが達成可能である映像を捉える（キャプチャする）今日唯一のオプションを提供するものである。
【００５４】
フィルムは、従来の配置のフィルムマガジンによって選択的に提供することができる（本明細書に開示する通常の形態または「使い捨て」形態のものであり、再使用可能なマガジンをその製造業者のみが装填および取り出しする）。または、水平配置のマガジンすなわちフィルムマガジンの通常の直立位に対して９０度（垂直）に置かれたマガジンによってフィルムを提供することもでき、これは、追加的フィルム管理および配置の必要（例えばローラーでフィルムを９０度回転させ水平位にしてフィルムゲートに入れ、露光後に縦のフィルムマガジン内で交換するために再度９０度回転するようなこと）を排除する。フィルムストックのこの配置は新規のものではないが、本発明の形態および目的の総合性において新規である。
【００５５】
ここでは、長方形の映画表示画面のサイズと選択的に類似した、１．６６または１．８５のようなフィルムゲートにフィルムストックを提供する（若しくはこの形態では、ここでの幅を２対１とする）。明らかな利点は、（１６ｍｍフィルムの場合）映像を選択的に乳剤面に１６ｍｍの「高さ」と希望する幅で格納することができることであり、この例においては幅３２ｍｍ（若しくは例えばそれ以上）である。しかし、前記幅は、映像に対し（実質的に）無制限の左右の媒体スペースがあるので、完全に選択的なものである。
【００５６】
本発明は、よって、部分的に（例えば）３５ｍｍ幅の映像を１６ｍｍのフィルムストックで生成する手段を提供するものであり、映画およびＨＤ映写のサイズに非常に近いサイズであり最終的な画像を前記映画およびＨＤの画面に提供する処理においてほとんど調整または歪みを要求しない映像を提供するものである。および、前述したように、３５ｍｍのフィルムストックは、見通し可能な未来にわたり、どのデジタルシステムの情報キャプチャ／記憶手段にも勝る材料を作成するための重要な手段を提供する（前記乳剤面面積は、前記フィルムストックに記憶される画像当たりの視覚情報を約４倍にする）。
【００５７】
１つの観点において、前記装置のシステムは、両面フィルムストックをフィルムマガジンに提供するものであり、前記両面フィルムストックの方向を自動的に逆にすることができ、それによって、前記システムのゲート自体によって若しくは前記システムのマガジンおよび／または前記マガジン内に置かれたフィルムストックに提供される手段によって選択的に「ひねられた」前記フィルムストックを、逆方向に前記カメラに通して、第２の「実行」を可能にする。前記好ましい実施形態において、カメラのフィルム全長の端での「ひねり」を含む前記フィルムの「連続ループ」形態は、このひねりを遅延または詰まりなく取り扱うものであり、それによって、本発明の次の目的が可能となる。
【００５８】
本発明のシステムまたは装置は、マガジン当たりの記録「時間」量を減少せず、且つ内部の生媒体材料／重量を増加せずに、映像当たりの乳剤記録面を増加することを可能にするものである。
【００５９】
例えば、上記オプションを可能にする１６ｍｍカメラは、選択的に４００ｆｔ（約１２１．９２ｍ）を提供し、よって記録媒体の約１０分を２４ｆｐｓで提供すると同時に、従来の３５ｍｍカメラおよびフィルムシステムに典型的な乳剤面に選択的に近づく映像を提供する。装置および媒体（フィルム）の重量、サイズ、および量の全てが低減されるが、（必ずしも）画像の質は劣化されない。同様に、３５ｍｍフィルムシステムに課される本構成は、６５ｍｍまたは７０ｍｍのフィルム記録装置に典型的な映像のおよその質（および乳剤記録面）の画像を可能にするものである。
【００６０】
選択的に、前記両面「分割」処理によって結果的に生じる、より薄いフィルムストリップを、フィルムストック（および／または「再使用可能なマガジン」）の提供者によって選択的に提供される特別の設定を有する装置によって、必要に応じて処理およびデジタル化する必要がある。この再使用可能なフィルムマガジンを提案するのは、前記フィルムマガジンによってその技術権所有者に前記装置およびシステムの専有権が提供されるだけでなく、それによって、選択的に「連続ループ」および選択的に「両面」フィルムストックを用いる第１のフィルムストックを装填および取り出し（および現像処理）という複雑な工程が処理される。
【００６１】
コダック（ＫＯＤＡＫ）（登録商標）ＬＯＯＫ  ＭＡＮＡＧＥＲ  ＳＹＳＴＥＭのような視覚修正オプションでは、本発明に関係する２次的手段が選択的に提供される。
【００６２】
より薄い「分割」フィルムストックの「ワンライト」デジタル化（露光および現像処理後）によって、「標準」および汎用のデジタル化設定ができる可能性がある。前記フィルムは、監督者／映画撮影者が使用するデジタル形式でのみ提供可能であり、前記監督者／映画撮影者は前記ＬＯＯＫ  ＭＡＮＡＧＥＲのようなデジタルシステムを使い、フィルムキャプチャされた元の画像からの「理想的」結果を決定することができる。選択的に、これらのデジタル修正画像は、最終編集用「オンライン」映像である場合があるが、そうでない場合は、画像（露光および色）情報に関係するデータを含む「マッチバック（ｍａｔｃｈ  ｂａｃｋ）」というディスクリートなシステムを（フィルムのフレーム参照番号によって選択的に自動で）元のネガに適用することができ、プロジェクトで選択された最終画像のみが（選択的に）印刷されるようにすることにより、質を維持し、デジタルドメインで決定された露光および色修正を具体化することができる（実証された検索表結果によって物理的印刷処理でディスクリートに一致される）。よって、本発明の観点および本発明のシステムのコンポーネントである、物理的なフィルム印刷手段とともに作動するよう設計された撮影後「外観管理プログラム」システム（のフィルムフレーム参照（マッチバック）番号による外観管理プログラムのデータ結果）により、印刷手段は、前記印刷処理において原画ネガ（または他のストック）を透過する「光」に対して色と露光修正効果を物理的に適用することができ、この物理的印刷手段およびシステムが提供可能な手段およびオプションに従属および基づいた「外観管理プログラム」オプションを活用し、デジタル領域および物理領域の両方で、特定且つ選択的に撮影後の効果および結果得ることができる。
【００６３】
例えば、本発明に基づき１６ｍｍ形式を用いて作成する場合、（従来の方向およびフォーマットでの）従来の３５ｍｍフィルムストックの「水平露光」画像からの最終「印刷」に対し、映像が別のフィルムストック（「中間ネガ」ストックなど）に「印刷される」に従って露光レベルおよび／または色の態様を変更するために、印刷手段による影響を与えることができる。
【００６４】
目標は、「より大きい」ゲージサイズの高品質のネガを最終的に得ること、デジタルドメインで選択された美的調整を具体化すること、およびより小さいゲージフォーマット（例えば１６ｍｍ）の非従来的な使用による便益を近づけること、若しくはそれを実現することである。得ることによって、通常、より大きいゲージサイズで従来記録されてきたものの映像に
【００６５】
総じて、本発明は「より小さく」軽い装置を用いるフィルム作成手段を提供すると同時に、より大きいフィルムゲージの場合と同等の「原画ネガ」表面積（および解像度および質）を産出する手段を提供するものである。さらに、本発明は、よく知られた３５ｍｍシステム（当該産業でよく知られたレンズおよび筐体を含む）を用いた映像作成で、「７０ｍｍ」で作成された映像に匹敵する質と解像度の映像を産出することができ、それによって、現在利用可能な任意のデジタルシステムでのオリジナルキャプチャ中にキャプチャおよび記憶される視覚情報量を超すという目標を達成するものであり、たとえ最初の使用および映写手段が既存のデジタル技術（２ｋまたは４ｋなど）より大きいものを採用しなくても、将来の技術により抽出可能な、はるかに多くの視覚情報（例えば２０ｋなど）を含む原画「ネガ」の「存在」によって、そのプロジェクトは「将来に対応可能なもの」となり、事実、既存のどのデジタル作成手段が提供するよりもデジタル映画（およびテレビ）の将来に適応するものとなる。
【００６６】
フィルム作成および発表にかかる甚大な費用を鑑み、将来のキャプチャ装置に対応して応用することが可能な原画ネガが利用可能であることは、より大きい情報管理／表示手段にシステムが将来アップグレードされた場合に、そのプロジェクトを将来さらに表示する潜在的可能性を増すものである。この移行は、フィルムでの作成に関するキャプチャ、重量、および費用の態様の変更を最小限に留めることができる。
【００６７】
さらに別の形態において、レンズ画像を画像転換手段（光学的転換、鏡の利用、および／またはそれに類似するもの）によってストックの両面に提供するアプローチは、前記ストックを前記レンズおよびレンズ画像に対して縦の位置に維持することができる。しかし、そのような形態において、前記ストックおよびフィルムゲートは、前記レンズおよびレンズ画像（および従来のフィルムゲート位置）に対して好ましくはオフセットであり、例えば、前記レンズおよびレンズ画像に対して前記ゲートは垂直に置かれ、前記レンズに面する前記フィルムの「端」は、選択的に前記ストックとともに、前記ゲートが前記レンズに面していて従来のように（配置された）場合（一般的なパナビジョン（Ｐａｎａｖｉｓｉｏｎ）社およびアリフレックス（Ａｒｒｉｆｌｅｘ）社のフィルムカメラの場合）と同じカメラ領域を通過する。
【００６８】
これまで開示してきたように、この形態の水平に配置されたフィルムストック（様々な広域露光域が可能）に対し、前記縦のストックは、例えば９０度「回転」され、前記ストックの各乳剤塗布側（または面）のレンズ画像の全てまたは一部を、互い違い順（一方の面が露光された後にもう一方の面が露光され、続いてカメラがフィルムストックを次の断続的前進により進めて、次の未露光乳剤ゾーンが選択的に露光される）または同時に受容するものである。同時に受容する場合は、前記レンズ画像を、好ましくは、ビーム分割装置で処理し、（前記レンズ画像に対して）オフセットのストックの両面によって記録するために、選択的に転換する。
【００６９】
さらに別の形態において、前記フィルムカメラを通る第１の通過（露光）の後の前記フィルムの「面」の位置を認識し、前記カメラおよびマガジンは、（前記カメラをフィルムが第１の通過で完全に１度通過し、片面が露光された後のフィルムが装填されている）巻き取りスプールからのフィルム（の未露光の面）を、前記カメラのゲートに第２の露光のために中継する協力的特徴および動作を有することができ、前記映像的特徴および動作は前記第２の通過に特定の追加的なフィルム案内機能を有し、前記フィルムを「取り込む」ために前記フィルムを前記マガジンの最初の「供給」側に戻す。いったん前記カメラを通過したストックは、好ましくは、前記マガジン内部にその「後端部」が巻き取られる前に停止される。よって、前記「後端部」を、前記フィルムが特別のフィルム管理通路に沿って前記カメラ内を通過することを可能にするよう選択的に配置された特定の「スロット」または特徴に提供することによって、前記フィルムを前記フィルムゲートに再度供給することができる。ここでの利点は、フィルムが「ひねり」を経る必要が全くなく、前記ゲートにいったん戻されて供給された後は、前記フィルムの反対面（未露光の面）が実際に前記ゲートに進入するフィルム面となることである。
【００７０】
この形態に基づく第２の課題および特定の特徴一式は、マガジンの最初の「供給」側（パナビジョン（Ｐａｎａｖｉｓｉｏｎ）フォーマットのカメラではレンズに最も近い側）に戻すために、前記カメラから特別に出された前記フィルムが提供されることである。最初の「後端部」が、本発明に特定のマガジン内の特定の巻き取りのための特徴（開口部またはスロット）に供給されることによって、フィルムストックの全長は再度前記ゲートを通り、前記フィルムストックの第２の面を露光するにつれ、前記フィルムストックは選択的に自動で再び前記ゲートを通って前記供給側に戻ることができる。
【００７１】
この形態において、前記カメラは機械的に同じ方向に進むが、好ましくは、追加的なフィルム案内および管理の特徴を具体化することにより、「第２の面」の移動に対応するものであり、前記カメラは前記フィルムを前記マガジンの最初の「巻き取り」側から「引き」戻し、前記最初の供給側に戻す。前記フィルムカメラは、よって、それまでのように引き続き「前進」するが、本発明の特定のフィルムマガジンは、前記カメラを通して前記マガジンの「巻き取り」側から前記ストックを引き、前記「供給」側を回転させて能動的に（選択的に）（両面）露光されたストックを前記カメラから引くために、前記ストックの第２の通過の間、「後退」することになり、この機能に特定の特徴を通して前記ストックが前記マガジンの内部に戻り、前記ストックの全長が前記最初の側に「戻される」まで、前記供給側に能動的にスプールされて戻ることになり、この時点で、本形態のシステムが適正に使用されていれば、前記ストックの両面はすでに完全に露光されている。よって、例えば、通常１，０００フィートの３５ｍｍフィルムストックは、毎秒２４フレームで本発明のカメラコンポーネントを通過すると、約１０分ではなく、約２０分の記録媒体（乳剤）を提供することができる。
【００７２】
本発明を実行するための具体的な実施例は、例示を目的としてのみ提供されるものであって、いかなる意味でも本発明の範囲を限定することを意図するものではない。
【００７３】
１実施形態において、光化学処理によってキャプチャされた（例えば乳剤材料に）フィルム化された映像の質は、通常、フィルムおよびテレビの材料の記録中に向上する。本明細書に記述する方法およびシステムは、例えばフィルムのゲージサイズに合わせるためなどに装置のサイズを変更する必要なく、画像の質という点で静止写真の質も大きく向上させるので、好ましくは、映画媒体に限定されない。
【００７４】
追加実施形態において、（当業者に既知の）１６ミリメートル（ｍｍ）フィルムカメラを採用し、選択的に、従来の３５ｍｍフィルムカメラおよびフィルム記録手段の画像作成の質と匹敵する、同等、またはそれを越す質の映像のキャプチャを行う。当業者には明らかなように、任意のゲージサイズのフィルムおよびカメラを利用し、本発明の教示による便益を得ることができる。さらに、以下により詳細に説明するように、可変フィルムまたはその他の記憶媒体とカメラの両方またはいずれかを本発明の特徴とし、利用することによって、本明細書が教示する便益を使用者に与える。
【００７５】
別の実施形態において、フィルムカメラに光学およびフィルム管理を組み入れ、代表的な先行技術のフィルムカメラを強化する。例えば、前記カメラ（およびフィルム）は、未露光フィルム（または他の乳剤材料）の各フレームが撮影レンズに関係する光によって露光のためにフィルムゲートに移動するにつれ、イベントおよびアプローチの新しい順序を提供することによって、質および効率を最大限にする。
【００７６】
また、本特許出願の発明者の現在係属中の特許出願に関連して上述したように、両面乳剤が提供され、前記両面乳剤は追加的媒体の長さ（フィルムストックを含む）および関連費用を増す必要なく、または第２の画像（異なるフォーカス、露光、またはわずかに異なる位置の撮影レンズ画像など）をキャプチャする必要なく、またはコロイドまたはその他の乳剤が塗付された（または乳剤含有）材料の接合ストリップを必要とせずに、記録能力を増加するものである。
【００７７】
さらに、好ましくは、光学システムを介して中継された映像を選択的に３次元またはバブル様の乳剤面に記録することができるカメラが提供される。さらに、選択的に前記カメラ内の未拡張「フィルム」の両面に記録するための装置を提供することにより、多重フィルム「ゲート」または画像一時置き場を前記カメラ内に含める。
【００７８】
さらに、前記カメラは、選択的に、前記レンズ画像（またはその他のキャプチャされた映像）の変更バージョンを、前記乳剤材料の、各々別々に露光される面に中継することができる。この特徴は、通常のフィルム面の単一面に記録するために有用であり、例えば、前記単一面が露光される若しくはフィルムが再配置されることによって、前記フィルムの裏面も露光される。この変更画像バージョンでは、中継されたレンズ画像の焦点調整優先度が異なる場合があるか、露光中に異なる露光回数またはｆストップ（虹彩）設定を有する場合があるか、または、複数のレンズが使用された場合に、キャプチャ対象の場面のオフセット・レンズ・キャプチャを有する場合がある。キャプチャされた映像に互いに選択的に課されるその他の可能な相違のバリエーションについて、本明細書で想定する。
【００７９】
フィルムストックの映像の水平記録および主要フレームとしてのみそのような画像を使うというオプションによって選択的に最終画像を向上するために、より小さい装置およびゲージサイズのフィルム、光化学またはその他の記録媒体を提供することによって、質の向上した映像をキャプチャするが、これには、先行技術でこれまで得られなかった選択的な第２の効果および／または美観的オプションのために、キャプチャされたレンズ画像と同じまたは異なるバージョンを具体化する映像を選択的にキャプチャすることが含まれる。フィルムストックまたは装置のサイズを増さずに、使用されるゲージサイズでの通常の先行技術のカメラおよびフィルムストックに比べ、より多くの映像数およびより広い乳剤面を捉え、記憶することができる。さらに、追加的オプションとして、フィルムストックに記録された画像によって情報を提供し、潜在的にはるかに多くの画像情報の最終画像に影響を与えると同時に（質および解像度にも影響を与える）、追加的な媒体（映画フィルムストックなど）をまだ必要とせずに、前記フィルムキャプチャから得られる最終画像において追加的に提供される総画像数または画質の向上という目標を（個々にまたは協力的に）達成する。
【００８０】
さらに、本明細書の教示によって全く新しいフィルムストック製品が提供されるとともに、前記フィルムストックの露光、管理、および映写に用いられる装置が提供される。これは、ゲージサイズおよびフィルム形態が従来のフィルムストックと異なるような場合でも可能であり、前記フィルムストックの片面または両面のいずれに記録するかは問題とならない。例えば、通常のスプロケットホール、よく知られたゲージサイズ、およびその他の従来のフィルムキャプチャおよび映写態様を、新しいフィルム「フォーマット」および撮像システム、本明細書に開示された各装置および方法に、選択的に含めないことができる。例えば、本発明の好ましい態様である、デジタル化されるフィルムキャプチャ画像は、スプロケットによるフィルム送りを不要にする潜在的可能性を与え、選択的にフィルム送りおよび画像合わせの両方を提供するその他の電子的手段を与えるものである。
【００８１】
両面乳剤フィルムストックおよび画像キャプチャに関し、選択的に、感光性またはその他の、画像情報を記録する能力のある媒体である前記ストックの裏面（この面も乳剤面である）を露光するために後続の第２の「ゲート」が提供される。この結果、同一または選択的に変更されたシングルレンズ（またはダブルレンズ、オフセット３Ｄシナリオ）が単一のフィルムストリップの両面に置かれることになり、選択的に、同時または互い違いまたはオフセット法で露光することが可能となる。露光のために前記フィルムが後続フレームに進む断続的動作は、「フレーム」が選択的に両面形態で前記両面フィルムの各面に露光された後に起こるのが最もよい。
【００８２】
さらに別の実施形態において、映画フィルムカメラが提供される。前記映画用カメラは、好ましくは、単一の、最初の撮影レンズを通して映像をキャプチャする。前記カメラ内で、前記レンズ画像を選択的に転換すること、若しくは区切る（分割する）ことによって、前記最初のレンズ画像の全てまたは一部を２つに分けて中継することができる。
【００８３】
１実施形態において、動作可能な鏡は、選択的に一定期間中、キャプチャされたレンズ画像／光を前記鏡が転換する前に焦点調節がまだ行われていない場合は特に、焦点調節のために追加レンズ要素に前記レンズ画像を中継する。
【００８４】
この実施形態において、画像の中継先である第１のフィルム「ゲート」は、フィルムゲートの典型的な位置に対してオフセットに位置決めされる。１実施形態において、前記オフセットは約９０度であり、フィルムゲートの通常の位置に対して垂直である。よって、前記鏡またはその他の鏡要素は、前記キャプチャされたレンズ画像を、予め定められた時間に第２のゲートに中継する。この第２のキャプチャゲートを、通常のフィルムゲート位置に対してオフセットにすることも可能であり、通常の先行技術のアートフィルムの位置に対して、例えば、垂直にすることも可能である。しかし、別の実施形態において、前記第２のキャプチャゲートを前記第１のオフセットゲートの対面に位置づけることも可能である。
【００８５】
上述の実施形態は、好ましくは、鏡像またはその他の画像転換要素が、１つのゲートに完全なレンズ画像を提供した後に、もう一方のゲートにそれを提供し、映画フィルムの露光またはその他の撮像手段（例えば電荷結合素子（ｃｈａｒｇｅ  ｃｏｕｐｌｅｄ  ｄｅｖｉｃｅｓ：ＣＣＤ）での電子的キャプチャ、またはその他の電子デジタル化要素）を可能にするものである。映画フィルムを使用する実施形態において、前記レンズ画像の全てまたは一部（例えば、鏡またはその他の要素による全画像転換でなくビーム分割を採用する場合）は、前記２つのフィルムゲートに中継され、互いに平行に位置決めされ、選択的に直接接触または近接に置かれる。これは、映画フィルムまたはセルロイドの単一のストリップに両面乳剤を提供し、単一ゲート装置または修正された両側ゲート装置を通して送り、前記セルロイドの単一のストリップまたはその他の乳剤塗布媒体の２つの主要な面の乳剤を同時または互い違いに露光することを可能にする。
【００８６】
加えて、選択的に画像転換器の下流に位置決めされたＣＣＤは、断続的に全ての、または断続的または連続的に一部の、元のレンズ画像を受容し、前記カメラおよび本発明によってフィルムまたはその他の媒体記録でキャプチャ中の画像を、ビデオ支援表示または関係する同様の画像モニタ（電子）表示することができる。さらに、前記レンズ画像のそのような電子記録は、前記フィルムキャプチャされた画像に関係する追加的なデジタル画像用途のために、画像情報を提供することができるものであり、キャプチャ中に、前記キャプチャ媒体の１つが主要フレームデータを、最終画像データの割り当ておよび管理に関するその他の態様を伝達可能な画像データを有するもう一方よりも選択的により遅いフレームレートで提供することを可能にする。
【００８７】
本明細書の教示は、セルロイドフィルムを用いる修正アプローチを採用することができる。例えば、従来のフィルムのストリップ２片を選択的に接合または配置することができる。前記セルロイドストリップは薄いものであり、不透明層またはセルロイドストリップまたはその他の材料によって分離されている。これは、カラー・ネガ・フィルムに必要な材料の量および重量は最小限にし、例えば３５ｍｍとして選択されたゲージサイズの最大数およびフィルムフレームのキャプチャを減らす。
【００８８】
鏡による転換を含む実施形態の１つの利点は、上述のように、修正されたセルロイドの単一のストリップが、オフセット・フィルム・ゲートを採用し、２倍の総合画像情報を捉えられることによって、前記セルロイドの両面が、単一のレンズを通してキャプチャされた映像（光）から露光されることである。
【００８９】
別の利点は、互いに平行にまたは対面して位置づけ可能な２つのゲートを含む前記実施形態において、キャプチャされたレンズ画像を、選択的にそのまま中継することによって、未修正のレンズ画像を前記各「ゲート」または異なる乳剤を有するセルロイドの各面に記録することができることである。あるいは、前記レンズ画像に、選択的な第２の効果または修正を加えることができ、例えば、異なる焦点調節優先度を提供する追加的な光学、またはその他のカメラ設定バリエーションを加え、キャプチャされたレンズ画像を複数回、中継することができる。
【００９０】
１実施形態において、例えばカメラ面の焦点調節選択から５フィートである選択された焦点距離に撮影レンズを位置づけ、前記撮影レンズは、「短焦点」映像としてフィルム（またはその他の記録手段）に記録するために、映像（例えば画像）を一定期間、好ましくは前記カメラの筐体内の焦点調節光学装置に中継することができる。次に、前述の鏡またはその他の中継装置は、前記レンズ画像を異なる焦点調節光設定に中継することにより、前記レンズ画像は前記一定期間に中継され、「無限」のような異なる焦点調節優先度によって光学的バリエーションを経ることができる。あるいは、別の設定に選択的にリセットされた同じ光学条件を用いることができる。これにより、好ましくは、前景の明確さをなくし、代わりに背景に焦点を合わせる、あるいは背景を明確にすることができる。よって、そのような形態において、セルロイドの単一のストリップは、前記フィルムの一方の面のカメラゲートから「５フィート」として焦点を合わせた３５ｍｍフィルムフレームを１２本記録することができ、１２本のフィルムフレーム（映像）は、前記セルロイド一式のもう一方の乳剤面に、無限焦点調節を優先して記録される。当然、この方法で、毎秒２４フレーム、１２フレーム、または実質的にあらゆる任意の数の映像を、乳剤を有する前記媒体の両面に毎秒記録することができる。
【００９１】
さらに、画像は好ましくは水平に記録されるので、選択された乳剤の幅（および従って、キャプチャされた各映像に関係する乳剤面積全体）は、前記ストックの両面で同じである必要はなく、幅の異なるフィルムゲートおよび異なる光学形態でも、このオプションは可能である。さらに、１つのフィルムゲートが記録した画像と別の画像間のフレームレートも、選択的に表示する最終画像に関係するフィルムストックのストリップの各面にキャプチャされた画像バージョンの目的によって、同一である必要はない。
【００９２】
複数焦点バージョンの例を用いて、３次元効果または単に被写界深度効果を強化するなど、特別な映写効果を出すことができる。あるいは、前記両面フィルム（セルロイド）を使い、単にフィルムキャプチャ処理の材料効率を増すことができる。よって、例えば、フィルムストックの長さを、同じキャプチャ画像情報量に対し、例えば半減することができる。この結果得られる便益の一例は、シューティングに必要な媒体総重量の削減であるが、これは前述の効率向上が与える多くの潜在便益の一例に過ぎない。同じレンズ画像のその他の異なる中継のバリエーションは、映像に与えられる追加的効果を可能にするものであり、例えば、本発明の手段およびオプションが提供する選択的なその他の撮影後効果および応用として、フィルムに映像を露光する期間またはその他のキャプチャ手段、あるいは透過光量、（虹彩またはＦストップ）バリエーションなどを含む異なる露光設定を可能にする。
【００９３】
その他の形態および／または実施形態は、前記のオフセット多重ゲート実施形態を、両面乳剤セルロイドを含む上述の実施形態と異なり、２つのフィルムゲートが通常の映画フィルムの１面のみを露光するように提供することを可能にする。そのような形態において、２つのゲートは、例えば、単一のセルロイドストリップに同じレンズ画像の変更バージョン（例えば焦点調整が異なる）を記録することができ、各ゲートは、前記フィルムフレームに一つ置きにのみ記録することができる。撮影後は、デジタルまたはその他の手段で、同じレンズ画像の前記フィルムまたはその他の媒体の異なる記録間に自動的に線引きをし、選択的に、前記乳剤に記録される前に、異なる第２の用途にさらす。例えば、焦点調整光学設定を変えることによって、異なる焦点調整優先度を提供することにより、単一のフィルムストリップが可能となり、本明細書の教示に適用可能であり且つ独特の明確な撮影後のオプションを可能にする媒体を提供することができる。
【００９４】
一回キャプチャによるレンズ画像の同一または変更バージョンを、片面または両面乳剤セルロイドの１若しくはそれ以上の面に選択的にキャプチャする能力は、記録効率を増し、追加的な撮影後効果および／または特殊効果を提供する独特のオプションを提供するものであり、前記オプションは、通常の若しくは先行技術の映画用カメラおよびシステムでは不可能なものである。
【００９５】
さらに、鏡および／またはビーム分割器を用いてレンズ画像を転換することは、フィルム乳剤記録、またはデジタルＣＣＤなどのような、デジタル映像作成でよく知られた、ＣＩＮＥ  ＡＬＴＡおよびその他の高解像度デジタル映画システムといったオプションを含む電子記録での、単一のレンズ画像の異なるバージョンを提供する。異なる媒体の協力的動作によって、そのようなバージョンをキャプチャすることは、本発明が提供するもう１つのオプションであり、本発明の範囲内で様々な形態が可能である。よって、同じレンズ画像の異なる露光または焦点調整のバージョンは、同時または選択的に互い違いに、経時的に記録される。特別に準備されたセルロイド（両面乳剤セルロイドなど）の単一のストリップの１面または両面に映像を記録するオプションは、選択的レンズ画像転換および両側フィルムゲートによって、本明細書に説明するように、さらに提供される。
【００９６】
レンズ画像の乳剤記録を収集するために、典型的な先行技術の投影が必要でない場合がある。例えば、容易に「分割」または分離して、より薄い（例えば通常の映画フィルムの半分に）２分割された面にすることができるように製造されたセルロイドの単一のストリップを、選択的に、（片面の露光がもう一方の面の乳剤または記録に影響しないようにする）不透明保護層のような別の層で分離したものは、３５ｍｍフィルムで通常の毎秒２４フレームで従来使用するより多くのセルロイドを使用せずに、単一レンズ画像の２つのセルロイド記録を提供することができる。
【００９７】
好ましくは、撮影後および後続の作業のために、乳剤はスキャンされ、デジタル化される。より薄く、投影可能でない可能性さえあるストリップ（または、選択的に、より従来の幅に近いストックを形成するために接合された、より薄いストリップであり、従来のように１面ではなく、選択的に両面に乳剤があるもの）によって、前記乳剤にキャプチャされた画像の完全性を欠くことは全くない。よって、デジタル中間ネガ法をフィルムに予定している場合、例えば、本明細書の両面フィルム乳剤形態のような、典型的な薄い２分割ストリップで映像作成することができ、その場合、カメラのネガは単にデジタル化のための記録を提供し、「投影可能な」フィルムバージョン（最終投影がデジタルでない場合）は、前記カメラのネガティブのデジタル化バージョンを、より従来のものに近い投影可能な（例えば）通常の公開版ストックのようなフィルム印刷セルロイドに後に印刷することによって得られる。
【００９８】
さらに別の特徴は、「マガジン」のような、フィルムカメラによくある、例えば従来の映画フィルムカメラで動作可能なフィルム収納ユニットを含むものである。上記に特定した、（例えば表と裏である）両面に感光材料を特徴として有するおよび／または具体化する両面フィルムまたはセルロイドを、従来のフィルムカメラで使用するために、特別のマガジンで構成することができる。
【００９９】
パナビジョン（ＰＡＮＡ  ＶＩＳＩＯＮ）のカメラでは、例えば、「使い捨て」または選択的に再使用可能なマガジンを提供することができるが、これは、永久式または再装填可能なマガジンの適用を除外するものではない。再使用可能であるが使用者が再装填することはできない形態において、１．０００フィートの３５ｍｍフィルムを、よく知られた「連続ループ」シナリオで前記マガジン筐体内に構成することができる。当然、当業者は、任意の長さのフィルムおよび／またはゲージサイズが適用可能であることを認識するであろう。この再使用可能または再装填可能なマガジンは、通常の先行技術のオーディオカセットに類似しており、前記カセットに含まれる全長が完全に実行され、全てのテープが磁気ヘッドを通過したところで使用者が向きを変えることによって始点に位置決めされるテープを有するものである。
【０１００】
本明細書に記述されるマガジンは、「再生」する代わりに、ストックを（選択的に１ゲートのフィルムカメラ形態で）同一のフィルムゲートに戻すことによって、同一のセルロイドまたは他の乳剤、または感光記憶ストリップまたは媒体に「最記録」することを可能にする。しかし、「再生」の前に、手動または自動のいずれかの方法で、前記フィルムの向きを１８０度変える（または未露光の乳剤を、両面が露光されるまで前記ゲートに維持するよう前記フィルムを操作する）ことができ、感光「フィルム」またはその他の材料が、前記マガジンに含まれる未露光媒体の全長で再生されるようにすることができる。この構成は、前記マガジンに含まれるフィルムの全長を実行することを可能にし、前記の特殊な両面乳剤処理媒体の裏面を露光することを可能にするものであり、前記媒体は、そのような媒体で記憶可能な潜在またはその他の選択された映像を記録可能な２つの同等なまたは選択的に同等な感光「面」を有する。
【０１０１】
手動形態において、使用者は、前記フィルムが停止した後またはその使用量が全長に達した後、回転ドアのような前記マガジンの収納区画を開くことができる。前記フィルムストックの末端または他の場所に選択的に取り付けられたピンまたはその他の装置を、反転されたフィルム（または媒体）の完全性を保持および維持し、達成されたばかりの基本的な「ループ」または回転が、詰まり、干渉となる遅延、またはその他の望ましくない問題の発生なく、フィルム全長を再度正しく実行するのを干渉しないようにするために、下げられたローラーまたはその他の安定化装置で選択的に「回転させる」ことができる。このループ形態で再度その全長を実行するための前記フィルムのそのような「回転」および前記マガジンに含まれているフィルムの形態を、既知の様々な機械的方法で、選択的に自動で達成することも可能である。
【０１０２】
好ましくは、前記マガジンは、装填を容易にするよう前記マガジンから突出したフィルムループがあるという点で、パナビジョン（ＰＡＮＡＶＩＳＩＯＮ）カメラが提供するような通常の先行技術のマガジンと変わらないものである。前記の使い捨て可能な形態では、マガジン全体を処理のために送ることができ、この場合、両面フィルムは処理後に分離または分割され、通常のよく知られたセルロイドの約半分の厚さの２つの処理済ストリップとして使用者に提供される。あるいは、前記分割後に処理される前記両面フィルム、若しくは材料を直ちにデジタル化することによって、その処理者の工場とまた別の施設で前記セルロイドを取り扱う必要を避ける。さらに別の代替案として、露光後の映画フィルムの「半分の」厚さのストリップを別のセルロイドまたは材料のストリップと合体させることによって、通常のフィルムストックの厚さに近いフィルムストック製品でそれらの映像を顧客に返却することができる。この代替案の媒体を別の透明フィルム、セルロイド、または材料と組み合わせることにより、元のカメラネガを使用する。
【０１０３】
代替観点において、通常の作成媒体またはフィルムより薄いことに起因する潜在的問題を鑑み、前記媒体を直ちに通常の厚さのフィルムストックに「複写」またはコピーすることによって、処理後に前記カメラネガの情報を通常の先行技術のフィルムストックに迅速に載せることができる。
【０１０４】
よって、上述のように、修正マガジンを用いた通常の先行技術のフィルムカメラは、通常の長さのフィルムストックを用い、通常の先行技術の媒体と同じ重量と費用を使い、記録媒体を倍増することができる。
【０１０５】
本発明について、次に、図を参照してさらに詳細に説明するが、これらの図において、同様の参照番号は同様の要素を表すものである。
【０１０６】
図１は、１実施例の典型的形態を図示するものであり、一般に「上」に置かれるフィルムマガジン収納部（ＰＡＮＡＦＬＥＸフィルム・カメラ・システムのものに類似している）を、修正フィルムカメラのフィルム通しおよび多重ゲートフィルム送り機構と連結する。レンズ画像１０２がレンズ１０４を通って前記カメラに入るにつれ、画像転換またはビーム分割モジュール１０６は、前記レンズ画像の全体光の全て若しくは選択された割合を、フィルムゲート１１４および１１６を含む少なくとも２つのキャプチャモジュールに提供する。フィルムストック１０８は、カメラ上部に長手方向に置かれたマガジン位置からこの形態で前記カメラに入るが、このマガジンの位置は必須ではなく、事実、水平の形態は、フィルム再配置モジュールの必要を回避することができる。しかし、このシステムのカメラ態様の、上部に長手方向に置かれたマガジン形態で、フィルムストック１０８は、（フィルム送りローラーのような）フィルム管理および再配置モジュール１１０によって選択的に９０度回転若しくは再配置され、ストック１０８は、通常の（通常の１６ｍｍおよび３５ｍｍのフィルムストックのような）写真フィルム媒体と選択的に同じ厚さおよびサイズの単一フィルム収納部または「ストリップ」の両面に生じる２つのフィルムゲート１１４および１１６に提供される。
【０１０７】
画像転換とは、鏡１１２および１２２などが、ゲート１１４、１１６内のストック１０８に記録するために、レンズ画像の各態様を伝達することを意味する。次に、水平に提供されたフィルムは、例えば３５ｍｍまたは１６ｍｍというストックの幅による制限を受ける縦方向に提供された映画フィルムストックなどと異なり、様々な幅に画像を記録することを可能にする。ゲート１１４、１１６は、好ましくは、選択的に画像サイズを変更する手段を有するので、フィルムストック１０８の利用可能な乳剤記録面の高さに対して、選択的に画像幅を（１つの可能な画像率のオプションとして）２：３５対１にすることができる。
【０１０８】
フィルムストック１２０は、フィルム再配置モジュール１１８（フィルム送りローラーまたは同様の機構）が選択的に従来のフィルムストックマガジンに正しい位置づけで戻すためにフィルムストック１２０を選択的に９０度に戻した後に、露光後の媒体を前記マガジン収納部（このシナリオでは前記カメラの上部にある）に戻す。
【０１０９】
あるいは、フィルムストック１０８を提供し、フィルムストック１２０を逆順に戻すことができる。したがって、この代替案において、フィルムストック１０８は前記フィルムをゲート１１４、１１６に提供し、オプションの形態のように、フィルムストック１２０を露光後のストックとして前記マガジン収納部に戻す。
【０１１０】
さらに、本発明の両面ストック１０８の形態を、さらに別の代替案の両側ゲート１１４、１１６に置き換え、必ずしも区別され分離されてはいないが２つの潜在的に区別可能な分離された２つのマガジン収納部によって、２つの区別可能なフィルムストリップを前記各ゲートに露光することができる。そのような形態において、映像転換手段１１２、１２２を排除または修正することによって、前記分離されたフィルムロールが、主要フレームを生成するかどうか、キャプチャ中のレンズ画像の複数焦点バージョンがあるかどうかなどを含む美的目標の選択によって、同一または異なるフレームレートで各ゲート１１４、１１６に個々に移動されるにつれ、レンズ画像１０２の態様を、前記分離されたフィルムロールを露光するために再配置されたゲート１１４、１１６に提供する。
【０１１１】
フィルムストック１０８、１２０は、好ましくは、フィルム乳剤内に潜在画像記憶装置を含む記録可能な媒体の単一ストリップとして構成可能なものであり、両面に乳剤が提供され、且つ、実際、単一乳剤支持セルロイドまたはその他のストリップ（またはその他の形）が可能である。ストック１０８、１２０を、そのような薄いストリップを２枚組み合わせたものとし、互いに対面する乳剤層の間に追加的な不透明材料を必ずしも提供せずに、選択的に、不透明またはその他の仕切りによって分離することもできる。
【０１１２】
さらに、図に示すように、通常のビデオアシストの働きをしない場合はビデオアシストおよび潜在的にその他のデジタルキャプチャ装置を含む電子撮影器も、連続的に、またはその他のキャプチャ装置に転換されるレンズ画像に対して選択的に互い違いまたは半互い違い順に、前記レンズ画像の態様として提供することができる。
【０１１３】
さらに、フィルムカメラ用ゲート１１４、１１６は互いに直接対面する必要はない。選択的に、１つのゲート１１４または１１６は、中継されたレンズ画像をもう一方のゲートからオフセットしている一定の距離で受容することができるので、水平または縦のゲート形態を可能にする。あるいは、パナビジョン（ＰＡＮＡＶＩＳＩＯＮ）のプルダウンの縦のストックカメラ形態のように従来の方法で供給されるフィルム形態において、ゲート１１４および／または１１６は長手方向にストック１０８を係合し、選択的に、従来の方法で記録された縦のキャプチャとして、中継された（例えば転換された）元のレンズ画像を記録する。あるいは、光学的に回転された画像は、選択的に、１若しくはそれ以上のゲート１１４、１１６が関わる水平記録のために、前記ストック１０８の片面に、より大きい画像を提供することができる。さらに別の代替案において、そのような光学的に制御されたものは、長手方向に提供されるストック１０８（または可変画像サイズのフィルムゲート１１４、１１６によって水平に記録される、選択的に幅の広いキャプチャ）のために、極めて潜在力のある解像度の画像および総合的情報を水平にフィルムストックに記録することを可能にし（従来の映画画像キャプチャに対し９０度オフセットが通常）、選択的に毎秒あたり望ましい数のフレームをキャプチャすることを可能にするが、毎秒２４フレーム未満および毎秒１フレーム以下という重要なオプションを提供し、重要なフレーム解像度および選択的に同一のレンズ画像から派生する２４ｆｐｓ（毎秒２４フレーム）の電子的画像のようなその他の画像情報を、第２の画像キャプチャ手段と協力して提供することができる。その場合、一方の画像キャプチャアプローチは、通常の、先行技術のフィルムキャプチャの質に比べて改善された最終映像に向けて、協力的に他方に情報を与えることができる。
【０１１４】
例えば、画像態様の位置は、データがはるかに豊富である選択的により遅い速度でフィルム化された（またはキャプチャされた、例えば代替電子キャプチャ手段である場合がある）ものでは変動があるので、毎秒２４フレームでキャプチャされた、例えばデジタル画像は（ただし選択された任意のキャプチャおよび画像記憶オプションによって限定されず）、画像態様の位置についての関連情報を提供することができる。最終画像内でのそのような重要なフレーム情報の割り当て、例えば毎秒２４の最終画像は、デジタル推測で少なくとも改善または要求されるものであり、画像間の既存のデジタルモーフィングのオプションと、はるかにデータが豊富である可能性のある再割り当てでの最終画像への情報伝達のための、１態様でのもう一方の画像キャプチャデータ記録とを含むものであり、そうでなければ、電子キャプチャに対するフィルムのカラー反応のような選択的な画像作成媒体態様を含むものであり、前記態様は、例えば利用可能な記録された重要フレーム間でなど、カメラレンズを通して見ると態様が位置的に変化するため重要なフレーム情報である。これは、最終画像に与える乳剤面に基づき１５ｋ、２０ｋ、またはそれ以上を提供可能な、高解像度の水平記録フィルム画像の創出が関わるカメラ形態のオプションを含み、同一のレンズ画像の態様を選択的に受け取る、選択的にデータ集約度の低い別のキャプチャ装置によって提供される毎秒当たりより高いキャプチャ頻度によって、選択的に情報を受け取る。選択的に、電子ビデオ・アシスト・キャプチャ装置でさえ、一部の形態でそのような情報を提供することができるので、既存および従来のフィルムカメラ用レンズ画像の中継手段をそのようなキャプチャ機器に与え、「オフライン」および「オンライン」の両方の目的を果たすことができる。
【０１１５】
図２は、両面乳剤フィルムストックを部分拡大した形態を図示する。図２の実施例は、前述の２つのストリップの薄い方のストック、つまり光化学処理または選択的処理済ストック内で画像をデジタル化して別々に使用するために「分割」されたストックを、選択的に、選択されたフィルムストックのゲージサイズの通常の厚さにするよう「合体」させたものである。さらに、本発明の両面ストックの別の形態は、選択的に、乳剤が両面に各々塗布された単一のユニットとして前記ストックを維持するものであり、そのような形態において、光化学処理システム態様およびフィルムデジタル化またはその他のスキャンシステム態様は、前記乳剤含有ストリップの両面にある区切られた画像の存在を管理するために選択的に修正される。そのような態様において、前記ストリップの両面２０４および２０８に維持される画像に関し、透過する投影光では単一の認識可能な画像が提供されない可能性が高いため、前記デジタル化手段を反射スキャンアプローチとする必要のある可能性がある。さらに、そのような単一に維持されるストリップ形態の両面乳剤ストックでは、処理された乳剤間に選択的に不透明の区切り層２０６を選択的に含めることによって、前記フィルムストックのストリップの反対面に画像をにじませることなく反射画像スキャンを行うことができる。
【０１１６】
図２の拡大断面図が示すフィルムストック２０２が移動されるにつれ、前記ストックを露光済みの前記フィルムストックを管理する間の選択的な段階で、フィルム作用モジュール２１０、２１２のオプションにより、フィルムストック２０６内に含めることが可能な不透明な分割層など、場合によって組み込まれる必要がある選択的なその他の態様とともに、選択的に従来のフィルムストック幅になるよう構成された結合ストックストリップが分割される。
【０１１７】
次に、別個の分割フィルム・ストック・ストリップ２１４および２１６を、前記システムでさらに使用するために、例えばフィルム送りローラーまたはその他の手段２１８および２２０のようなオプションを含む追加的フィルム送り機能によって移動させる。これらの別個の、従来より薄いストックストリップは、それら２つの乳剤が一貫して１ストリップまたは収納態様で維持されるシナリオと異なり、この時点で、処理済のストックを通して伝送中の光を含むデジタル化またはその他の画像伝達手段のために潜在的に利用可能である。
【０１１８】
さらに重要なのは、１乳剤ともう一方の乳剤とで選択的に異なる画像サイズを、本発明の分離された面乳剤内に記録する、本発明の選択的な形態および万能性である。例えば、カメラレンズによってキャプチャされた前景のアクションに関係する主要フレームが主であり、もう一方のレンズ情報態様より作成上に重要であるならば、この主要フレームは、選択的に、例えば、同一または異なる画像キャプチャ・フレーム・レートで反対面に潜在的にキャプチャされた、より小さい（すなわち画像解像度および画質も劣る）フィルムキャプチャより、例えばはるかに多くの乳剤を占めることができる。前記乳剤がキャプチャする前記レンズ画像情報と同等の長さの乳剤を維持するために、選択的に、例えば、主要フレームキャプチャは、例えば、前記ストリップの反対面にキャプチャ中に乳剤に中継されるレンズ画像キャプチャの、例えば異なる焦点または光学作用態様の３倍の幅および乳剤長を占めることができる。
【０１１９】
図３は、前記カメラにおけるフィルムストック再配置の実施例形態を図示する。この再配置は、図のように図のカメラで、前記のフィルムマガジンの機能として前記フィルムマガジンで生じるか、若しくは両方のカメラ態様の協力的機能として（カメラ筐体内または前記マガジン収納部で）生じる場合があるが、効果は同じである。前記カメラのフィルムゲートは、効果的に前記フィルムストックの裏面を受容する。
【０１２０】
前記マガジンが前記ゲートに対して「連続ループ」形態に基づき動作しているかどうか（若しくは前記マガジンが「反転」され、巻き取りスプールの端を（前記マガジン収納部の）最初の供給スプールの端に置くかどうか）、あるいは本発明で開示するマガジンが、カメラおよび／またはマガジン通し手段によって逆に進み、前記ストックを第２の通過のために前記ゲートに再供給し、前記マガジンの供給スプールの端に再度置く能力を有するかどうかに関わらず、ここでの目標は、前記両面乳剤（フィルムストックの両面に乳剤が塗布されている）フィルムストックを前記ゲートに提供することである。
【０１２１】
図３は両面３５ｍｍフィルムゲートを図示するものであり（ただしゲージサイズは限定態様ではない）、図のストックはこのゲート内で水平露光するために再配置されたものである。このゲートは、片側ゲートの場合があり、前記ストックは本明細書に開示するように前記ゲートに再供給される。追加的観点において、図示するように、両面を選択的に互い違いに露光するために前記ゲートは両側ゲートである場合があり（前記ゲートは直接対面するか、若しくは互いにオフセットである）、全長に達すると、両面が完全に露光される（従来のマガジンのシナリオと同じく、全長が前記フィルムマガジン収納部の巻き取りスプールに配置される）。
【０１２２】
図３は、マガジン収納部３０２を図示するものであり、フィルムストックは前記マガジン収納部の供給側（例えばパナビジョン（Ｐａｎａｖｉｓｉｏｎ）カメラ形態ではフィルムゲート３１２に最も近い前端部）からフィルムゲート３１２に提供される。ゲート３１２を通る前記フィルムストック３０４の最初の「通過」において、ここで実施例のコンポーネント３０６、３０８、および３１０を有するフィルムストック再配置アセンブリは係合されないので、前記フィルムストックはゲート３１２に入る際に、縦の「ひねり」なしに通過することができる。これらのコンポーネントは、例えば、本発明のフィルム反転「ひねり」の最適な管理および作用を選択的に可能にする、一連のフィルム管理ローラーおよび／またはスプロケット係合ローラーおよび／またはタンブラーである場合がある。
【０１２３】
前記フィルムの全てが前記ゲートをいったん通過すると、この形態で、前記ストックの連続ループ形態（前記ストック両端の接合）により、前記ストック３０４は再び前記ゲートに戻り、再び露光される。しかし、この図の形態では、そのようになる前に、前記フィルムゲート３１２がアンロックされる（または「開かれる」）ことにより、フィルムストック再配置コンポーネント３０４、３０６、および３０８が協働して前記フィルムストックに接触して「ひねり」、これらのコンポーネント間で前記ひねりを完全に維持することにより、前記ひねりは（例えば）毎秒２４フレームの断続的ストック移動の中断なしに、前記ゲート３１２を通る前記ストックの従来の露光を継続することができ、前記ストックはフィルムゲート制限なしに回転することができる。
【０１２４】
前記フィルムゲート３１２はそのようなひねりの後に前記ストックを管理するために「閉じる」または再び係合することにより、本明細書で教示する安定な平面である乳剤の第２の面を、提供されたレンズ画像に露光するために提供することができる。
【０１２５】
前記第２の面３１６の露光後、前記フィルムストックは、選択的に従来のカメラ通し（例えば可能なものとしてローラー３１８を含む）および前記マガジン収納部３０２内の巻き取りスプールに向かった移動のために、引き続きカメラを通過する。
【０１２６】
図１、２、および３は画像転換手段を図示するものであるが、本発明は、ここで図示される、レンズ光（従って光学的に伝達されるレンズ画像）の直接の通り道にあるゲートの位置に限定されない。このカメラ形態に関わる「ひねり」およびゲートは、前記形態のレンズ画像が、記録のためにフィルム乳剤に同一のレンズ画像が中継される前に、１若しくはそれ以上の転換された部分を含むならば、実質的に無限の位置で可能である。
【０１２７】
前述の発明について、明確な理解を目的として図と例を挙げ、ある程度詳細に説明してきたが、本発明の教示を鑑み、特許請求の範囲の要旨または範囲から逸脱せずに、本発明に特定の変更および修正を加えることが可能であることは、当業者には明らかであろう。
【図面の簡単な説明】
【０１２８】
【図１】図１は、実施例の、カメラを含む実施形態を図示する。
【図２】図２は、両面乳剤フィルムストックの部分拡大形態を図示する。
【図３】図３は、前記カメラにおけるフィルムストック再配置の実施例の形態を図示する。
【図１】
2009503569.tif 000003
【図２】
2009503569.tif 000004
【図３】
2009503569.tif 000005
【国際調査報告】
2009503569.tif 000006
2009503569.tif 000007
2009503569.tif 000008